(57)【要約】【課題】  従来のコマセカゴ釣りでは魚の小さなアタリを浮きで感知することは不可能であった。つけ餌が撒き餌カゴから無事離れて、魚が掛かるのを待っている状態に成っているかどうか分からなかった。【解決手段】  中通し撒き餌カゴが着水後撒き餌を散らし、何ら引っ掛かるものがなく釣り糸に沿ってスム−ズに移動して浮上し、棒浮きを通過し、棒浮き上部の海面に到達するような構造にしたことにより。中通し撒き餌カゴが棒浮きに対して無きも同然になることにより、魚の小さなアタリが直接棒浮きに伝わるようになる。またサブマリンカゴは必ず天井面を上にして直立状態で浮上し、かつ中通し撒き餌カゴ天井部の窪み上面を棒浮きと違う色に着色することにより、つけ餌が撒き餌カゴから無事離れて、魚が掛かるのを待っている状態にあることを、中通し撒き餌カゴ天井の窪みの上面の着色が見えることで感知することができるようになった。【選択図】  図１
2004173702.tif 000002
【特許請求の範囲】
【請求項１】
釣り竿の先端から釣り糸を伸ばし、その釣り糸には浮き止め、棒浮き、側蓋を有する撒き餌カゴ、重り及び釣り針を止着したあるいは十字架サルカンを介してサビキを設けその先に重錘を止着した釣り具において、上記側蓋を有する撒き餌カゴは中心軸上に棒浮きを抵抗なく挿通できる大きさの孔を上下に有し、かつ上部の中心軸上の孔（天井部中央の孔）の外周あるいは撒き餌カゴ本体上部の外周に浮力材を設けた中通し撒き餌カゴで、該中通し撒き餌カゴは内部に撒き餌を詰めた状態では海底へと沈むが、海中に投入後、カゴ内の撒き餌が海中に散らばった後は浮力材の働きにより海面へと浮上するように浮力材の量を調節し、浮上して棒浮きの上部の海面まで釣り糸に沿って円滑に移動及び通過して中通し撒き餌カゴの天井部が海面上に姿を表すことにより、釣り具が正常に作動していることを確認すると共に、釣り針からの魚信を撒き餌カゴに妨げられることなく棒浮きに伝える中通し撒き餌カゴである、また、上記の特徴に加えて下部の中心軸上の孔の周囲には、遠投時に撒き餌が振り出ないように受け皿を設け、かつ該受け皿に重りを掛合するための重り掛合用堤が設けてある、これをＡタイプ中通し撒き餌カゴと名付ける、該Ａタイプ中通し撒き餌カゴを上記側蓋を有する撒き餌カゴとして用いることを特徴とする釣り具。
【請求項２】
請求項１記載の釣り具の構成要素であるＡタイプ中通し撒き餌カゴにおいて受け皿と重り掛合用堤を設けてあった底部に、撒き餌を詰めやすくするため開口部を開け、これをＢタイプ中通し撒き餌カゴと名付ける、該Ｂタイプ中通し撒き餌カゴの開口部縁に連結具により底蓋を開閉可能に連結して設け、かつ、底蓋の対面の位置で開口部縁に底蓋の重さとバランスをとるためのバランシング重りを設けた、これをサブマリンカゴと名付ける、該サブマリンカゴの筒体が合成樹脂で筒体に複数の透孔が形成された形状である場合は、請求項１記載の釣り具の構成要素である重りは突き飛ばしオモリを用いる、該サブマリンカゴは内部に撒き餌を詰めた状態では海底へと沈むが、海中に投入後、カゴ内の撒き餌が海中に開散した後は浮力材の働きにより海面へと浮上するように浮力材の量を調節し、浮上して棒浮きの上部の海面まで釣り糸に沿って円滑に移動及び通過してサブマリンカゴの天井部が海面上に姿を表すことにより、釣り具が正常に作動していることを確認すると共に、釣り針からの魚信を撒き餌カゴに妨げられることなく棒浮きに伝える、また、上記底蓋には下面につけ餌ポケット及び重り掛合用堤を設けたものあるいは開閉を容易にするための重りを切欠け部先端に固着したものの２種類がある、請求項１記載の釣り具の構成要素であるＡタイプ中通し撒き餌カゴに代えて上記サブマリンカゴを用いることを特徴とする請求項１記載の釣り具。
【請求項３】
請求項１あるいは請求項２の釣り具の構成要素である棒浮きにおいて、浮力の大きな材料で出来た円筒形棒浮きの中心孔に中通しパイプを貫通して貫設し、該貫設した中通しパイプの下部をさらに下方に伸ばした中通しパイプ、これを下側中通しパイプと名付ける、該下側中通しパイプに逆円錐形重りの中心孔を挿通し、逆円錐形重りと円筒形棒浮きの両方を中通しパイプに固着することにより逆円錐形重りの上面と円筒形棒浮きの下面との固着面が離れないようにした中通し棒浮き、これをＡタイプ中通し棒浮きと名付ける、浮力の大きな材料でできた円筒形棒浮きの下部に重力の大きな材料でできた逆円錐形重りを設けて自立浮きに近い棒浮きにし、かつ下方に向かって先細りになっている逆円錐形重りの上面と円筒形棒浮きの下面との固着面の外周で段差を生じさせないようにすることにより、サブマリンカゴあるいはＡタイプ中通し撒き餌カゴが浮上したとき通過しやすいようにした中通し棒浮きで、該Ａタイプ中通し棒浮きを上記請求項１あるいは請求項２の釣り具の構成要素である棒浮きに代えて用いることを特徴とする請求項１記載あるいは請求項２記載の釣り具。
【請求項４】
重錘が下部に在るようにして重錘を衝撃・磨耗に強い材料で包んだ重り、該重りは中心軸上に中心孔を有し、該中心孔の下部穴を中心にして同心円状に重り下部を椀の形に窪ませると共に椀の形に窪んだ金属板を被せて冠着してある、なおかつ該中心孔に線材を挿通し、該線材の両端を曲げて上下端に輪を形成する、上端の輪（糸止め部）の下にはスプリングバネを線材が中心軸になると共に上端の輪を押し上げるように設け、下端の輪の中には弾性材料でできたサオが挿通され、上記スプリングバネの押し上げる力により該サオは椀の形に窪んだ金属板の縁に当接されて固定される、これをサオ重りと名付ける、該サオ重りを請求項１あるいは請求項２あるいは請求項３の釣り具においてＡタイプ中通し撒き餌カゴあるいはサブマリンカゴの筒体が金属メッシュ構造である場合に、釣り具の構成要素である重りに代えて用いることのできる釣り具の部品サオ重りである。
【請求項５】
蝶番には２枚の平板を連結する軸受け部があるが、該軸受け部中央にコイル状バネを設け、蝶番の軸がコイル状バネの中心軸を兼ねるように軸を挿通し、蝶番の２枚の平板を広げた状態で、線材でできたコイル状バネの両端が２枚の平板と交差する位置で各々別の線材を９０度外側に曲げて延長し、各々別の平板に当接して固着したもの（そのときコイル状バネには捩じれの弾性力が生じていないものとする）、これをコイル状バネ付蝶番と名付ける、蝶番の２枚の平板の片方を回転させるとコイル状バネに捩じれの弾性力が生じて、外力が無くなると元の状態の２枚の平板が広がった状態に戻る、コイル状バネの弾性力により元の状態に戻るという形状記憶の機能を持った蝶番である。該コイル状バネ付蝶番を請求項２記載のサブマリンカゴにおいてＢタイプ中通し撒き餌カゴと底蓋とを開閉可能に連結する連結具として用いることのできる釣り具の部品コイル状バネ付蝶番である。
【請求項６】
請求項３の釣り具の構成要素であるＡタイプ中通し棒浮きにおいて、下側中通しパイプに逆円錐形重りの中心孔を挿通して固着したのがＡタイプ中通し棒浮きであるが、これに対して下側中通しパイプと逆円錐形重りとが着脱できるように下側中通しパイプの外周と逆円錐形重りの中心孔を加工し、かつ同じ様に中心孔を加工して下側中通しパイプに着脱できるようにした下落防止具を作り、円筒形棒浮きの下部に下落防止具を設けるか、円筒形棒浮きの下部に逆円錐形重りを設けるか、どちらか一方を選んで着脱自在に取り替えることができるようにした中通し棒浮き、これをＢタイプ中通し棒浮きと名付ける、下落防止具とは円筒形棒浮きの下面に当接して設けることにより、サブマリンカゴ（Ｂタイプ中通し撒き餌カゴ）の天井部中央の孔の下面に下落防止具を引っ掛け、釣り具を海中に投入した後サブマリンカゴが海底へと沈んで行かないようにするためのものである、該Ｂタイプ中通し棒浮きを請求項１あるいは請求項２の釣り具の構成要素である棒浮きに代えて用いることのできる釣り具の部品Ｂタイプ中通し棒浮きである。
【請求項７】
請求項６に記載のＢタイプ中通し棒浮きを用いた釣り具により釣りをする方法。Ｂタイプ中通し棒浮きとは、請求項３のＡタイプ中通し棒浮きに代えて用いることにより請求項１に記載の釣り具の部品棒浮きに代えてＡタイプ中通し棒浮きと同じ形状及び機能をもったＢタイプ中通し棒浮きを用いた釣り具で釣りをする方法（イ）、あるいは請求項２の釣り具の部品棒浮きに代えてＡタイプ中通し棒浮きと同じ形状及び機能をもったＢタイプ中通し棒浮きを用いた釣り具で釣りをする方法（ロ）、あるいは請求項２の釣り具の部品棒浮きに代えて円筒形棒浮きの下部に下落防止具を設けたＢタイプ中通し棒浮きを用いた釣り具で釣りをする方法（ハ）、の合計３通りの釣り具及び釣りをする方法がある。潮の流れが速いときは（ハ）の方法は用いることができないが、潮の流れが遅いときは（イ）（ロ）（ハ）のどれをも用いることができる。
（イ）浮き止め、Ｂタイプ中通し棒浮き（下部に逆円錐形重りを設けた）、Ａタイプ中通し撒き餌カゴ、重り及び釣り針を止着あるいは十字架サルカンを介してサビキを設けその先に重錘を止着した釣り具である。組み立て方は、まず、釣り竿の先端から道糸を伸ばし、道糸には重りあるいは重錘が所望の水深で沈降を停止するように浮き止めが固定してある、該道糸をシモリに挿通し、Ｂタイプ中通し棒浮きの糸孔に挿通する、そしてＡタイプ中通し撒き餌カゴの天井部中央の孔及び受け皿中央の孔（下部の中心軸上の孔）に挿通し、下端には重りを止着し重りからハリスを伸ばし先端に釣り針を止着するあるいは道糸の下端に十字架サルカンを止着し十字架サルカンにサビキを連結しその先端に重錘を止着する、道糸の下端に止着する重りは請求項１に記載の重り（丸重り）であるが請求項４のサオ重りの方が良い、なぜならば、サオ重りのサオが長いのでその長さの距離だけ金属メッシュ構造のＡタイプ中通し撒き餌カゴからハリス及び釣り針を遠ざけることができるので、ハリス及び釣り針がＡタイプ中通し撒き餌カゴに絡みにくくなる、サオ重りはサオの撓りやスプリングの強さを替えることにより、つけ餌を引っ張ったときの反発力を調整出来るので警戒心の強い魚を釣るときに適している、それに対し十字架サルカンにサビキを連結しその先端に重錘を止着する仕掛けは青物魚を釣るときに用いる、該仕掛けは投入時に釣り竿を強く振ることによりサビキ先端の重錘の遠心力のより枝ハリス糸及び釣り針をＡタイプ中通し撒き餌カゴから遠ざけることができるので絡みにくくなる、釣り具を海中に投入する前に、まずＡタイプ中通し撒き餌カゴの側面に設けた側蓋のヒンジ部を支点として横方向へ回動させることにより、撒き餌カゴ本体の撒き餌入り口を開放する、そして該入り口から撒き餌カゴ本体内へ適当な量の撒き餌を投入し、側蓋を閉鎖位置へ回動させる、そして側蓋に設けられた止め金具により閉止状態に保持する、そして道糸の下端に止着した重りあるいは十字架サルカンを受け皿下面に設けた重り掛合用堤に掛合して道糸を牽引することにより、Ａタイプ中通し撒き餌カゴは道糸にぶら下がった状態になる、このような状態で釣り具を海中へ投入し道糸を水中へ繰り出すことにより、Ａタイプ中通し撒き餌カゴ及び重りあるいは十字架サルカンのサビキ仕掛けは沈降する、重りあるいは十字架サルカンのサビキ仕掛けは道糸に固定した浮き止めがシモリを介してＢタイプ中通し棒浮きの先端の糸孔に係止されることにより沈降を停止する、Ａタイプ中通し撒き餌カゴは筒体が荒い網の目状になっているので撒き餌カゴ内の撒き餌を分散し易い、かつＡタイプ中通し撒き餌カゴの比重は海水よりも軽くできているので、撒き餌を撒きながら沈降し撒き餌が少なくなると自然と浮上しようとする動きに転じる、ゆえに重りあるいは十字架サルカンの上の任意の位置まで沈降した後浮上する、そしてＢタイプ中通し棒浮きの上部の海面まで道糸に沿って円滑に移動及び通過し海面へ姿を表す、Ａタイプ中通し撒き餌カゴの天井部の窪みの上面の色が見えることで、ハリス糸が釣り具に絡んだり、釣り針が釣り具に針掛かりをせずに無事に海底に沈み撒き餌がばらけたことを感知することができる、その後Ａタイプ中通し撒き餌カゴは波の上下動に合わせて上下運動をするが、もし波高が高いときはシモリ及び浮き止めを通過してしまいＢタイプ中通し棒浮きより離れさらに遠ざかって行く、上記一連の動きをするＡタイプ中通し撒き餌カゴであるが該撒き餌カゴが投入後上記のどの状態であるに関わらず、魚がつけ餌を引っ張ればその力は撒き餌カゴには何ら力を及ぼさずＢタイプ中通し棒浮きに直接力を及ぼす、ゆえに釣り人には魚のアタリがはっきり分かるので、それに合わせて釣り竿を立てれば良い。
（ロ）浮き止め、下部に逆円錐形重りを設けたＢタイプ中通し棒浮き、サブマリンカゴ、重り及び釣り針を止着あるいは十字架サルカンを介してサビキを設けその先に重錘を止着した仕掛け、を用いた釣り具である。組み立て方は、釣り竿の先端から道糸を伸ばし、道糸には重りあるいは重錘が所望の水深で沈降を停止するように浮き止めが固定してある、該道糸をシモリに挿通し、Ｂタイプ中通し棒浮きの糸孔に挿通する、そしてサブマリンカゴの天井部中央の孔に挿通し、下端には重りを止着し重りからハリスを伸ばし先端に釣り針を止着するあるいは道糸の下端に十字架サルカンを止着し十字架サルカンにサビキを連結し先端に重錘を止着する、道糸の下端に止着する重りには上記（イ）記載の重り２種類と、請求項２記載の重りの突き飛ばしオモリにも２種類あるので、合計４種類の重りがある、該釣り具を海中に投入する前に、まずサブマリンカゴを角度略１８０度回動させて開口部を上向きに保持して、サブマリンカゴの底部に設けた底蓋を上方に回動することにより、サブマリンカゴ本体の開口部を開放する、そして該開口部から撒き餌カゴ本体内へ適当な量の撒き餌を投入し、底蓋を閉鎖位置へ回動させる、そして道糸に止着した重りあるいは十字架サルカンを底蓋下面に設けた重り掛合用堤に掛合して道糸を牽引することにより、重りあるいは十字架サルカンが引っ張られて底蓋を閉止状態に保持する、つまり底蓋と底蓋の円盤の円周縁とサブマリンカゴ本体の開口部縁とが当接させられる、道糸を強く牽引することにより固定される、道糸の先端に結ぶのが重りの場合は、ハリス先端に止着した釣り針につけ餌を刺して該釣り針とつけ餌を底蓋下面に設けたつけ餌ポケットに収める、底蓋下面につけ餌ポケットを設けないタイプの底蓋を用いる場合は、底蓋を閉めるまえにつけ餌を釣り針のその先がサブマリンカゴの開口部金属縁と底蓋の切欠き部先端の金属板の間に挟まれるように撒き餌の上に置く、次に十字架サルカンの場合は、牽引することにより閉止状態を保持するだけである、そしてサブマリンカゴ内に収納した撒き餌を落とさないように、道糸を牽引しながらサブマリンカゴを角度略１８０度回動させることにより、道糸の下端に止着した重りあるいは十字架サルカンを底蓋下面に設けた重り掛合用堤に掛合して道糸を牽引することにより、撒き餌を入れたサブマリンカゴが道糸にぶら下がった状態になる、このような状態で釣り具を海中へ投入し、投入後道糸を水中へ繰り出すことにより、サブマリンカゴ及び重りあるいは十字架サルカンのサビキ仕掛けは海底へと沈降するのであるが、十字架サルカンを用いる場合は上記（イ）記載の十字架サルカンの仕掛けの投入の仕方や釣り方と略同一である、重りを用いる場合でサブマリンカゴの筒体が金属メッシュ構造である場合は、上記（イ）記載のサオ重りを用いた釣り具投入後の動きや釣り方と略同一である、一方、サブマリンカゴの筒体が合成樹脂の筒体に複数の透孔が形成された構造の場合は、４種類の重りの中で専ら突き飛ばしオモリを用いる、そのときのサブマリンカゴ投入後の動きや釣り方は、釣り具を海中に投入すると突き飛ばしオモリの海底へ沈む速さはサブマリンカゴよりも速いので突き飛ばしオモリはハリス糸を引っ張る、つけ餌ポケットが有る場合は、つけ餌ポケットからつけ餌を引っ張り出す、そのとき、底蓋の中央の穴を挿通していた道糸が底蓋の切欠きに沿って外に出る動作を強制的に行わせる、つけ餌ポケットが無いタイプの場合は、底蓋の切欠きの先端部を重くしているので、つけ餌を引っ張り出すとき底蓋は開いている、そして突き飛ばしオモリはサブマリンカゴからつけ餌を引っ張り出した後沈降する、そして道糸に固定した浮き止めがシモリを介してＢタイプ中通し棒浮きの先端の糸孔に係止されることにより沈降を停止する、一方サブマリンカゴは底蓋９０度開いた状態で、カゴ内の撒き餌の比重が重たいので撒き餌とサブマリンカゴ本体との摩擦により撒き餌に連れられて海底へとゆっくり沈んで行く、そして、合成樹脂の筒体に透孔が開いた構造なので撒き餌が分散して散らばらずにサブマリンカゴが所望の水深まで沈んだところで、釣り竿をシャクルことにより道糸の先端に止着された突き飛ばしオモリが引っ張られてサブマリンカゴ内の撒き餌に強く突き当たり撒き餌を飛ばし散らす、するとサブマリンカゴ内の撒き餌が少なくなるので浮上してＢタイプ中通し棒浮き上の海面まで道糸に沿って円滑に移動及び通過し海面へ姿を表す、サブマリンカゴの天井部の窪みの上面の色が見えることで、ハリス糸が釣り具に絡んだり、釣り針が釣り具に針掛かりをせずに無事に海底に沈み撒き餌がばらけたことを感知することができる、その後サブマリンカゴは波の上下動に合わせて上下運動をするが、もし波高が高いときはシモリ及び浮き止めを通過してしまいＢタイプ中通し棒浮きより離れさらに遠ざかって行く、第一のタイプの突き飛ばしオモリを用いる場合は、シャクル回数は１回である、何回もシャクルと針掛かりの可能性が高いので行わない。第二のタイプの突き飛ばしオモリを用いる場合で、第二のタイプの突き飛ばしオモリを海中に係留する場合は、数回シャクルことができる、上記一連の動きをするサブマリンカゴであるが該サブマリンカゴが上記のどの状態であるかに拘らず、魚がつけ餌を引っ張ればその力はサブマリンカゴには何ら力が及ぼさずＢタイプ中通し棒浮きに直接力を及ぼす、ゆえに釣り人には魚のアタリがはっきり分かる、サオ重りは警戒心の強い魚を釣るとき十字架サルカンは青物魚を釣るときに用いるのは上記（イ）記載と略同一である、突き飛ばしオモリの場合は、サブマリンカゴが所望の水深まで沈んだところで撒き餌を突き飛ばし散らすことかできるので、海底の周辺に撒き餌をする必要のある魚種を釣るときに用いる、また、第二のタイプの突き飛ばしオモリには上記以外のもうひとつの釣り方がある、それは海底にへばりついた魚を釣る釣り方である、道糸に固定した浮き止めの位置を調節することにより第二のタイプの突き飛ばしオモリが丁度海底に達するようにする、そして、サブマリンカゴが海底まで沈んで行くように撒き餌（アミ＋集魚剤）を調節する、そして、遠くへ釣り仕掛けを投げたらシャクらずに第二のタイプの突き飛ばしオモリとサブマリンカゴが海底に着くのを待って海底に着いたらゆっくり引いて魚のアタリを探る、アタリが鈍いときは小さくシャクル、そして、魚が掛かかるまでジッと待つ、つまり、海底すれすれに撒き餌を散らして濁った海底の中に第二のタイプの突き飛ばしオモリを置くことにより、魚の目を晦ませることで海底にへばりついた魚を釣る方法。
（ハ）浮き止め、下部に下落防止具を設けたＢタイプ中通し棒浮き、サブマリンカゴ、重り及び釣り針を止着あるいは十字架サルカンを介してサビキを設けその先に重錘を止着した仕掛け、を用いた釣り具である。組み立て方は、釣り竿の先端から道糸を伸ばし、道糸には重りあるいは重錘が所望の水深で沈降を停止するように浮き止めが固定してある、該道糸をシモリに挿通し、サブマリンカゴの天井部中央の孔にＢタイプ中通し棒浮きの頭部を該孔下から突っ込んでサブマリンカゴの天井部中央の孔からＢタイプ中通し棒浮きの頭部を突き出した状態でＢタイプ中通し棒浮きの糸孔に挿通する、そして、下端には重りを止着し重りからハリスを伸ばし先端に釣り針を止着するあるいは道糸の下端に十字架サルカンを止着し十字架サルカンにサビキを連結し先端に重錘を止着する、該釣り具を海中に投入する前にサブマリンカゴ内に撒き餌を収納するが、その方法はＢタイプ中通し棒浮きをサブマリンカゴの天井部中央の孔に下から突っ込んでサブマリンカゴの天井部中央の孔の周囲に下落防止具が引っ掛かった状態でする、そのこと以外は上記（ロ）記載と略同一である、釣り具を海中に投入するとサブマリンカゴは下落防止具にぶら下がったままで、重りあるいは十字架サルカンのサビキ仕掛けは海底へと沈降するのであるが、十字架サルカンを用いるのは青物魚を釣るときで上記（イ）記載の十字架サルカンの仕掛けの投入の仕方や釣り方と略同一である、重りは上記（ロ）記載の重りであるが、突き飛ばす必要がないので、上記（イ）記載の重りの２種類である、サオ重りの場合は上記（イ）記載のサオ重りを用いた釣り具投入後の動きや釣り方と略同一である、請求項１記載の重り（丸重り）を道糸の下端に用いた釣り方は、小魚が多いときで、釣り具を海中に投入すると着水時の衝撃で小魚はビックリして逃げる、その間に重りはハリス糸を引っ張り、つけ餌ポケットが有る場合は、つけ餌ポケットからつけ餌を引っ張り出す、そのとき、底蓋の中央の穴を挿通していた道糸が底蓋の切欠きに沿って外に出る動作を強制的に行わせる、つけ餌ポケットが無いタイプの場合はつけ餌を引っ張り出すそのときは底蓋は開いている、重りは道糸に固定した浮き止めがシモリを介してＢタイプ中通し棒浮きの糸孔に係止されることにより沈降を停止する、サブマリンカゴの筒体が金属メッシュ構造であろうが合成樹脂製の筒体に複数の透孔が形成された構造であろうがサブマリンカゴは下落防止具にぶら下がっている状態なので撒き餌は常に海面近くに散らばって小魚を海面近くに留まらせる、サブマリンカゴは撒き餌が少なくなると浮上してＢタイプ中通し棒浮き上の海面に姿を表す、サブマリンカゴの天井部の窪みの上面の色が見えることで、ハリス糸が釣り具に絡んだり、釣り針が釣り具に針掛かりをせずに無事に海底に沈み撒き餌がばらけたことを感知することができる、その後サブマリンカゴは波の上下動に合わせて上下運動をするが、もし波高が高いときはシモリ及び浮き止めを通過してしまいＢタイプ中通し棒浮きより離れさらに遠ざかって行く、魚がつけ餌を引っ張ればその力はサブマリンカゴには何ら力が及ぼさずＢタイプ中通し棒浮きに直接力を及ぼす、ゆえに釣り人には魚のアタリがはっきり分かる。
以上［請求項６］に記載のＢタイプ中通し棒浮きを用いた釣り具により釣りをする方法である、海中にどういう魚が居るかで釣り具を簡単に替えることができる、小魚が多いときには丸重りを用いて上記（ハ）記載の丸重りを用いて魚を釣る方法を行う、大きな魚が居そうにない青物魚が多いとなると、上記十字架サルカンを用いて魚を釣る方法を行う、大きい魚は居るが警戒心が強すぎるのでＢタイプ中通し棒浮きでは浮力が大き過ぎるので釣れないとなれば、上記（イ）記載のサオ重りを用いて魚を釣る方法を行う、海底の周辺に撒き餌をする必要のある魚種が居るとなると上記（ロ）記載の第一のタイプの突き飛ばしオモリあるいは第二のタイプの突き飛ばしオモリを用いて魚を釣る方法を行う、海底にへばりついた魚が居そうであれば、上記（ロ）記載の第二のタイプの突き飛ばしオモリを用いて海底にへばりついた魚を釣る方法を行う、つまり釣り具を簡単に替えることにより、いろんな魚を釣ることができることを特徴とする、本発明の魚を釣る方法。
【発明の詳細な説明】
【技術分野】
【０００１】
本発明は、魚釣り用の撒き餌を水中へ投入するために使用される撒き餌カゴに関し、従来の撒き餌カゴ釣りでは不可能とされた警戒心の強い魚も釣ることができる、つまり魚の小さなアタリを感知することのできる釣り具及び新しい釣り方に関するものである。
【背景技術】
【０００２】
従来の撒き餌カゴ釣りは、釣り竿の先端から道糸を伸ばし道糸には浮き止めを止着して、該道糸をシモリ（ビ−ズ）に通して、エバ浮きあるいは大きなどんぐり浮き（エバ浮き以外の素材でできた中通し浮き）の糸孔に通し、道糸の先端を撒き餌カゴに結んで連結させ、該撒き餌カゴと一体となっているア−ムあるいは撒き餌カゴの別の一端にハリス糸を結び、ハリス糸の先端に釣り針を止着する。以上の如く構成された釣り具である。ここでの道糸とは、つまり、リ−ルに巻いた糸を釣り竿の先端へ伸ばし、さらに、釣り竿の先端から糸を伸ばして撒き餌カゴまでの釣り糸のことで、仕掛けを止着したり通したりしてセットする釣り糸で丈夫で切れにくい糸である。ハリス糸とは上記の如く撒き餌カゴと釣り針との間の釣り糸のことで、魚が直接目にする糸なので目立たない細い釣り糸である。道糸は太い糸をハリス糸は細い糸を用いている。シモリとは、浮き止めと浮きの間にスライド可能に設けて、道糸に固着された浮き止めが浮きの中に入っていかないようにする役割をしている、シモリを貫通している糸穴は道糸の外径（太さ）より十分大きく、浮き止めの直径より十分小さくできている。つまり、浮き止めがシモリに引っ掛かり、シモリが浮きの糸孔に引っ掛かりことにより、浮きに釣り仕掛けがぶら下がった状態で安定する。上記釣り具を用いて、魚を釣るときには釣り針につけ餌を付け、撒き餌カゴに撒き餌を詰めて蓋をし、リ−ルで道糸を巻き上げて投げる、撒き餌といっしょにつけ餌が海底へ沈み、魚が掛かると魚はつけ餌といっしょに撒き餌カゴを引っ張り込む、そしてエバ浮きは海底へと沈む、上記釣り具では警戒心の強い魚を釣ることは不可能なのは明白である。
【０００３】
従来の撒き餌カゴ釣り具で最新の従来の技術として公開実用平成３−１１２２６６で公開されている撒き餌カゴがある。それは、撒き餌カゴとつけ餌までの距離を、道糸に止着した浮き止めの位置によって調整できるという改善が見られるが、魚の小さなアタリを浮きで感知できないという問題は残る。
【特許文献１】公開実用平成３−１１２２６６
【発明の開示】
【発明が解決しようとする課題】
【０００４】
従来の撒き餌カゴ釣りは撒き餌カゴと一体となっているア−ムあるいは別の一端にハリス糸を結び、ハリス糸の先端に釣り針（つけ餌）を止着する。つけ餌を付けたハリス糸が撒き餌カゴと連結しているために、つけ餌と撒き餌カゴとの隔離距離には限界がある。また、魚がつけ餌をくわえて引っ張った時にコマセカゴもいっしょに引っ張ることになるので、警戒心の強い魚や、つけ餌を弱く引っ張る習性のある魚は釣りの対象外になる、つまり、従来のフカセ釣りと同じように魚の小さなアタリを浮きで感知して（浮きが海中に沈むことにより小さなアタリを釣り人に知らせる）釣りをすることが出来ない。従来の技術としての公開実用平成３−１１２２６６で第一のタイプとして載っているものは撒き餌カゴとつけ餌までの距離を浮き止めの位置によって調整できるという改善が見られるが、魚の小さなアタリを浮きで感知することができないという課題が残った。また、別のタイプとして載っているものは、撒き餌を詰めた撒き餌カゴは水底に沈むか水面に浮くかどちらであるか不特定である。沈むタイプの撒き餌カゴであれば、撒き餌カゴとつけ餌までの距離を長く取れないし、エバ浮きあるいは大きなどんぐり浮き（エバ浮き以外の素材でできた中通し浮き）を用いているため魚の小さなアタリを浮きで感知することができないという課題は残る、また、浮くタイプの撒き餌カゴであれば、魚がつけ餌をくわえて引っ張った時に、浮力の大きなドングリ浮きと一緒に撒き餌カゴも引っ張るので課題は残る。ゆえに、従来のフカセ釣りと同じように魚の小さなアタリを浮きで感知して（浮きが海中に沈むことにより小さなアタリを釣り人に知らせる）釣りをすることは不可能である。つまり、依然として課題は残る。
【０００５】
上記の課題に加えて従来の撒き餌カゴ釣りでは今日まで誰も課題にしなかった課題で、ハリス糸が釣り具に絡んだり、釣り針が釣り具に針掛かりをせずに無事に海底に沈み撒き餌がばらけたことを（釣り具が所望の正常な一連の動きをしていることを）感知することができないという課題である。本発明は、上記［０００４］［０００５］のような課題を解決するためになされたものである。
【課題を解決するための手段】
【０００６】
課題を解決するために、請求項１に係わる本発明は、釣り竿の先端から釣り糸を伸ばし、該釣り糸には浮き止め、棒浮き、Ａタイプ中通し撒き餌カゴ（イ）、重り（ロ）及び釣り針を止着したあるいは十字架サルカン（ハ）を介してサビキを設けその先に重錘を止着した釣り具において、上記Ａタイプ中通し撒き餌カゴは中心軸上に棒浮きを楽々と挿通できるぐらいの大きさの孔を有して、かつ上部の中心軸上の孔（天井部中央の孔）の外周あるいは撒き餌カゴ本体上部の外周に浮力材を設けた中通し撒き餌カゴで、該Ａタイプ中通し撒き餌カゴは内部に撒き餌を詰めた状態では海底へと沈むが、海中に投入後、カゴ内の撒き餌が海中に散らばってしまいカゴ内に撒き餌を留め置かなくなると比重が軽くなり海面へと浮上する、このようにＡタイプ中通し撒き餌カゴが機能するように天井部中央の孔の外周あるいは撒き餌カゴ本体上部の外周に設ける浮力材の量を調整する、海中に投入後、Ａタイプ中通し撒き餌カゴは重りあるいは十字架サルカンの上の任意の位置まで沈降した後、浮上して棒浮きの上部の海面まで釣り糸に沿って円滑に移動及び通過してＡタイプ中通し撒き餌カゴの天井部が海面上に姿を表す、このことを特徴とする釣り具。
（イ）Ａタイプ中通し撒き餌カゴとは、上記の特徴に加え、頭部の中心軸線上の孔（天井部中央の孔）は、棒浮きが通過しやすいようにカゴ内部の方向に窪んでいて、該窪みの上面を棒浮きと識別できるように棒浮きと違う色に着色する、Ａタイプ中通し撒き餌カゴの筒体は金属メッシュ構造で、該側面には開閉可能な側蓋（蓋閉止保持用止め金具付き）を設ける、底部には中央に棒浮きを楽々と挿通できるぐらいの大きさの孔（下部の中心軸上の孔）を有した受け皿を設け、かつ該受け皿中央の孔は棒浮きが通過しやすいようにカゴ外部の方向に突出している、受け皿の下面（外面）で受け皿中央の孔の周囲には重り掛合用堤を設ける、該重り掛合用堤とは、釣り具を投げるとき、釣り糸を上方に牽引することにより釣り糸に結合された重りを重り掛合用堤の凹部に掛合、あるいは釣り糸に連結された十字架サルカンの平板平面を重り掛合用堤の土手の平たい部分に引っ掛けることにより、揺動しないようにするものである、以上の構造の撒き餌カゴである。
（ロ）ここでの重りとは、従来の重錘だけでできた丸重りではなくて、重錘を衝撃・磨耗に強い材料で包む事により胴の周囲の長さを大きくして、重り掛合用堤の凹部に掛合できる大きさにし、かつ、重錘と重錘を包み込む材料の中心に中心孔を形成して糸孔とした重り（丸重り）である。
（ハ）十字架サルカンとは、横から見ると十字架の形をしたサルカンで、固いて錆びにくい材料でできた十字架サルカンの頭の部分と足の部分（縦方向の両端）の輪に従来のサルカンが設けられている。十字架の両腕の掌の部分（横方向の両端）の上には、平板が平面を上に向けて固着して設けてある、該両腕の根元には別の両腕が伸びていて、両腕と両腕の間の角度は９０度の角度である、別の両腕も同じように掌の部分の上には、平板が平面を上に向けて固着して設けてある、それを上から見ると腕が四方に伸びた十文字の形に見える、両腕の掌と掌の間の距離は重り掛合用堤の直径と同じ距離である、つまり重り掛合用堤の土手の部分と掌の平板平面部分が当接する距離である。
Ａタイプ中通し撒き餌カゴが重りあるいは十字架サルカンの上の任意の位置から棒浮きの上部の海面までのどの位置に在るに拘わらず、魚がつけ餌を引っ張ればその力はＡタイプ中通し撒き餌カゴには何ら力が及ぼさず棒浮きに直接力を及ぼす、ゆえに釣り人は魚の小さなアタリを棒浮きで感知できる。
【０００７】
上記［０００６］記載の釣り具のＡタイプ中通し撒き餌カゴは、Ａタイプ中通し撒き餌カゴの天井部の窪みの上面が棒浮きの色とは明らかに違う色に着色されている、ゆえに、Ａタイプ中通し撒き餌カゴが投入後に海底へと沈み撒き餌を撒いた後海面に浮上したとき窪みの色が見えることで、ハリス糸が釣り具に絡んだり、釣り針が釣り具に針掛かりをせずに無事に海底に沈み撒き餌がばらけたこと（釣り具が所望の正常な一連の動きをしていること）を感知することができる。
【０００８】
同様に、請求項２に係わる本発明は、釣り竿の先端から釣り糸を伸ばし、該釣り糸には浮き止め、棒浮き、サブマリンカゴ（イ）、重り（ハ）及び釣り針を止着したあるいは十字架サルカン（ニ）を介してサビキを設けその先に重錘を止着した釣り具において、上記［０００６］においては筒体に開閉可能な側蓋を設けたＡタイプ中通し撒き餌カゴを用いたが、代わりに底部に開閉可能な底蓋（ロ）を設けたサブマリンカゴを用いる、該サブマリンカゴは上部の中心軸上に棒浮きを楽々と挿通できるぐらいの大きさの孔を有して、かつ上部の中心軸上の孔（天井部中央の孔）の外周あるいはカゴ本体上部の外周に浮力材を設けた中通し撒き餌カゴで、該サブマリンカゴは上記［０００６］と同じく撒き餌を詰めた状態では海底へと沈むがカゴ内部の撒き餌が海中に散らばってしまいカゴ内に撒き餌を留め置かなくなると比重が軽くなり海面へと浮上する、このように機能するように浮力材の量を調整する、海中に投入後、サブマリンカゴは重りあるいは十字架サルカンの上の任意の位置まで沈降した後、浮上して棒浮きの上部の海面まで釣り糸に沿って円滑に移動及び通過してサブマリンカゴの天井部が姿を表す、このことを特徴とする釣り具。
（イ）サブマリンカゴとは、Ｂタイプ中通し撒き餌カゴと、底蓋と、バランシング重りとから構成されている撒き餌カゴである、上記の特徴に加え、上部の中心軸上の孔（天井部中央の孔）は棒浮きが通過しやすいようにカゴ内部の方向に窪んでいて、該窪みの上面は棒浮きと識別できるように棒浮きと違う色に着色する、底部は大きく開いた餌入れ口（開口部）を有する、これをＢタイプ中通し撒き餌カゴと名付ける、サブマリンカゴは該Ｂタイプ中通し撒き餌カゴの底部の開口部縁の外周一側に、連結具により連結された開閉可能な底蓋を設け、該底蓋の重さとバランスをとるために底部の開口部縁で連結具と１８０度反対側の位置にバランシング重りを設けた中通し撒き餌カゴである。Ａタイプ中通し撒き餌カゴの筒体は金属メッシュ構造の１種類だけであるのに対し、サブマリンカゴの筒体は金属メッシュ構造と合成樹脂の筒体に複数の透孔が形成された構造の２種類がある。
（ロ）底蓋とは、睡蓮の葉の形のように中央に穴があり、該穴より放射状に切欠きを設けた形をしていて、釣り具を海水に投入時には底蓋中央の穴を貫通していた釣り糸が、サブマリンカゴが沈むと共に底蓋が開くことにより、該切欠きに沿って釣り糸が通過して底蓋の外に出ることを特徴とする底蓋である、底蓋の下面で中央の穴の周囲には重り掛合用堤を設けている、該重り掛合用堤とは釣り糸を上方に牽引することにより釣り糸に結合された重りを重り掛合用堤の凹部に掛合、あるいは釣り糸に連結された十字架サルカンの平板平面を重り掛合用堤の土手の平たい部分に引っ掛けることにより底蓋を閉止状態に保持すると同時に揺動しないようにするもの、［０００６］記載の受け皿の下面に設けた重り掛合用堤のように円筒形ではなく中央の穴より放射状に切欠きを設けた睡蓮の葉の形に沿って一部分切欠けている形である。また、底蓋には受け皿と同様に釣り具を遠投するとき、撒き餌が振り出ないようにする役割がある、ゆえに、底蓋を荒目の金属メッシュで作ると網の目から撒き餌が落ちるので荒目の金属メッシュを用いることは出来ない。底蓋には、底蓋の下面につけ餌ポケットを設けたものとつけ餌ポケットを設けないで開閉を容易にするための重りを切欠け部先端に固着したものの２種類があり、つけ餌ポケットを設けないものの中に、重り掛合用堤の代わりに窪みを底蓋の中央に形成したものがある。
（ハ）ここ請求項２での重りとは、サブマリンカゴの筒体が金属メッシュ構造である場合は［０００６］（ロ）記載の重り（丸重り）と同じであるが、サブマリンカゴの筒体が合成樹脂で筒体に複数の透孔を形成した構造である場合に用いる重りは専ら突き飛ばしオモリである、突き飛ばしオモリには２種類ある、第一のタイプの突き飛ばしオモリは重錘を衝撃・磨耗に強い材料で包んでドングリ形状に形成され、該ドングリ形状の胴の周囲の長さを大きくすることにより、重り掛合用堤の凹部に掛合できる大きさにし、重錘と重錘を包み込む材料の中心に中心孔を形成して糸孔とし、なおかつ、重錘を包む材料の外周を糸孔方向に複数の鰭を形成してドングリ形状で矢の形にする、重錘を矢の形の先端の反対側の尻部に設けることにより、重心が下部に在るようにした重りである、第二のタイプの突き飛ばしオモリは上記第一のタイプの特徴に加えてさらに、中心孔（糸孔）の下端部を中心にして尻部を半球形窪ませ、該半球形に窪ませた面に嵌合するように中心孔の開いた半球形金属板を固着する、さらに中心孔（糸孔）に糸を通さずに弾性材料でできた線材（中心軸）を挿通し、該線材の両端を曲げて上下端に輪を形成し、該輪の上端の輪は矢の形の頭部の直近に在り、下端の輪は半球形に窪んだ金属板の窪みに填まった状態で在る、なおかつ、該下端の輪には他の弾性材料でできた長い線材の一端を挿入し、その後曲げて輪を形成することにより下端の輪に長い線材がつながれ、該長い線材のもう一方の端も曲げて小さな輪を形成したものである。
（ニ）ここ請求項２での十字架サルカンとは、［０００６］（ハ）記載の十字架サルカンの特徴に加えてさらに、両腕の掌と掌の間の距離はサブマリンカゴの天井部中央の穴よりも十分に大きい距離にする、つまり、釣りが終わってリ−ルを巻き上げるとき、サブマリンカゴの天井部中央の穴の周囲に引っ掛かることにより引き上げることができるようにする。
サブマリンカゴが重りあるいは十字架サルカンの上の任意の位置から棒浮きの上部の海面までのどの位置に在るに拘わらず、魚がつけ餌を引っ張ればその力はサブマリンカゴには何ら力が及ぼさず棒浮きに直接力を及ぼす、ゆえに釣り人は魚の小さなアタリを棒浮きで感知できる。
【０００９】
上記［０００８］記載の釣り具のサブマリンカゴは、Ｂタイプ中通し撒き餌カゴの天井部の窪みの上面が棒浮きの色とは明らかに違う色に着色されている、ゆえに、サブマリンカゴが投入後に海底へと沈み撒き餌を撒いた後海面に浮上したとき窪みの色が見えることで、ハリス糸が釣り具に絡んだり、釣り針が釣り具に針掛かりをせずに無事に海底に沈み撒き餌がばらけたこと（釣り具が所望の正常な一連の動きをしていること）を感知することができる。
【００１０】
課題を解決するために、［請求項３］に係わる本発明は、［０００６］あるいは［０００８］記載の釣り具の構成要素である棒浮きに代えてＡタイプ中通し棒浮きを用いるだけで、本発明の主要部である中通し撒き餌カゴを代えるのではないので、何ら釣り具の所望の正常な一連の動きに影響を及ばさないので上記［０００６］［０００７］［０００８］［０００９］と略同一である。
［請求項３］に係わる本発明は、上記［０００６］あるいは［０００８］記載の棒浮きに代えて、浮力の大きな材料でできた円筒形棒浮きの下部に重力の大きな材料でできた逆円錐形重りを設けた釣り具の部品であるＡタイプ中通し棒浮き（イ）を用いることを特徴とする釣り具である。
（イ）Ａタイプ中通し棒浮きとは、上記の特徴に加え、構造は、円筒形棒浮きの中心孔と逆円錐形重りの中心孔とを同じ中心軸上にあるようにし、下方に向かって先細りになっている逆円錐形重りの上面と円筒形棒浮きの下面とを固着する、該中心孔に中通しパイプを貫設し、かつ、該中通しパイプに逆円錐形重りと円筒形棒浮きの両方を固着したものである。円筒形棒浮きと逆円錐形重りの境目で段差を生じさせないように固着面の外周の大きさを同じにする、また、中通しパイプの内径は釣り糸は挿通し得るが浮き止めを通さない大きさ（つまり、糸孔である）にする、上記Ａタイプ中通し棒浮きは自立浮きあるいは自立浮きに近い棒浮きの機能がある。
【００１１】
課題を解決するために、［請求項４］［請求項５］に係わる本発明は、［０００６］あるいは［０００８］あるいは［００１０］記載の釣り具の構成要素である重りあるいは［０００８］（イ）記載の釣り具の部品連結具であるので、本発明の主要部である中通し撒き餌カゴではないので、何ら釣り具の所望の正常な一連の動きに影響を及ばさないので上記［０００６］［０００７］［０００８］［０００９］と略同一である。
［請求項４］に係わる本発明は、上記［０００６］あるいは［０００８］あるいは［００１０］記載の重りに代えて用いることのできる釣り具の部品サオ重り（イ）である。
（イ）サオ重りとは、中通し撒き餌カゴがＡタイプ中通し撒き餌カゴあるいは本体が金属メッシュ構造であるＢタイプ中通し撒き餌カゴの場合に用いることのできる、［請求項１］（ロ）に記載の重りの様に重錘を衝撃・磨耗に強い材料で包み、重錘を尻部に設けることにより重心が下部に在るようにし、かつ中心軸上に中心孔を貫通させる、該中心孔の下端穴を中心にして該重り下部を椀の形に窪ませ、該椀の形に窪ませた重りの下部面に嵌合するように金属板を固着する、かつ貫通穴である中心孔に弾性材料でできた線材を挿通し、該線材の両端を曲げて上下端に輪を形成する、該上端の輪（糸止め部）と重り頭部の間にスプリングバネを線材が中心軸になるように設け、かつ、該下端の輪には弾性材料でできたサオを挿通して設ける、上端の輪と重り頭部との間に設けたスプリングバネの弾性力により線材の上端の輪が押し上げ（下端の輪を引っ張り上げ）られることにより、線材の下端の輪に挿通されたサオが上方に引っ張られることにより、サオ重り下部面の椀の形の金属板の縁にサオの球状物の背とサオの線材が強く当接されサオは固定される。サオとは、球状物より球状物の接線上に線材が伸びているもので、ゴルフのクラブのウッドに似ている、ゴルフのクラブの形と違うところは、線材はクラブのシャフトの様に直線ではなく線材は球状物（ヘッド）との接点近くで球状物と反対側に凸カ−ブしてまた元の接線上の線材に戻っているところである、線材で球状物と反対側（ゴルフのグリップ側）の先端は小さな輪になっていて糸止め部の役割をする、中心孔に挿通した線材の下端の輪の内径は、サオの球状物よりも十分に小さく、サオの線材の直径（太さ）よりも十分に大きい、サオのセットの仕方は、貫通穴に挿通した線材の下端の輪にサオの先端の小さな輪（糸止め部）から挿入して、該サオの線材のカ−ブしている所の頂点がサオ重りの中心孔に挿通した線材の下端の輪の所に来るように移動することによりサオ重りは組み立てられる、魚がつけ餌をくわえて下に引っ張るとサオの球状物が椀の中に落ち、下端の輪は球状物の直径よりも十分に小さいのでサオは輪から抜け出ることはない。
【００１２】
同様に、［請求項５］に係わる本発明は、［０００８］（イ）記載のサブマリンカゴにおいて、Ｂタイプ中通し撒き餌カゴと底蓋とを連結する連結具（部品）である釣り具の部品コイル状バネ付蝶番（イ）である。
（イ）コイル状バネ付蝶番とは、蝶番には２枚の平板を連結する軸受け部がある、該軸受け部中央にコイル状バネを設けたものである。蝶番の軸がコイル状バネの中心軸を兼ねるように軸を挿通し、蝶番の２枚の平板を１８０度広げた状態で、線材でできたコイル状バネの両端の各々別の線材が平板と交差する位置で９０度外側に各々別方向に曲げて延長し、各々別の平板に当接して固着したものである（そのときコイル状バネには捩じれの弾性力が生じていないものとする）、蝶番の２枚の平板の片方を回転させるとコイル状バネに捩じれの弾性力が生じて、外力が無くなると元の状態の２枚の平板が広がった状態に戻る、元の状態に戻るという形状記憶の機能を持った蝶番である。
【００１３】
課題を解決するために、［請求項６］に係わる本発明は、浮力の大きな材料でできた円筒形棒浮きの下部に逆円錐形重りを設けるか円筒形棒浮きの下部に下落防止具を設けるか、どちらか一方を選んで着脱自在に取り替えることができるＢタイプ中通し棒浮きである。上記円筒形棒浮きの下部に逆円錐形重りを設けて、Ａタイプ中通し棒浮きと同じ形状及び機能を持たせたＢタイプ中通し棒浮きに関しては本発明の主要部である中通し撒き餌カゴを代えるのではないので、何ら釣り具の所望の正常な一連の動きに影響を及ばさないので上記［０００６］［０００７］と略同一である。それに対して円筒形棒浮きの下部に下落防止具を設けたＢタイプ中通し棒浮きに関しては、まったく別の動きをするように思えるが、釣り具を組み立てるときに、サブマリンカゴ（Ｂタイプ中通し撒き餌カゴ）の天井部中央の孔にＢタイプ中通し棒浮きを下から突っ込んで、天井部中央の孔の周囲が下落防止具に引っ掛かった状態で海中に投入して釣りをするので、上記［０００８］［０００９］との違いはサブマリンカゴが海底へ沈んで行かないというだけで撒き餌が散らばった後は［０００８］［０００９］と略同一である。
［請求項６］に係わる本発明は、［０００６］あるいは［０００８］記載の釣り具の構成要素である棒浮きに代えて釣り具の部品Ｂタイプ中通し棒浮き（イ）を用いることを特徴とする釣り具。（イ）Ｂタイプ中通し棒浮きとは、上記の特徴に加え、構造は、浮力の大きな材料で出来た円筒形棒浮きの中心孔に中通しパイプを貫通して貫設し、該中通しパイプの下部をさらに下方に伸ばして下側中通しパイプと成し、該下側中通しパイプに逆円錐形重りを挿着するか下落防止具を挿着するかどちらか一方を選んで挿着することにより着脱自在に取り替えることができる中通し棒浮きである、下落防止具とは浮力の大きな材料でできた円筒形棒浮きの下面に当接して設けることにより、該円筒形棒浮き下面の当接部より外周外側に突出した形に突設させるもので、下落防止具の中心軸上に設けてある内側筒部の外周に形が崩れないでなおかつ大きく横に突出するように構築した構造物を固着したものである、サブマリンカゴ（Ｂタイプ中通し撒き餌カゴ）の天井部中央の穴の下面に下落防止具を引っ掛けることにより、釣り具を海中に投入後撒き餌カゴが海底へ沈んで行かないようにする用途に用いる、円筒形棒浮きの下部に逆円錐形重りを挿着したＢタイプ中通し棒浮きはＡタイプ中通し棒浮きと同じである。
【００１４】
上記の課題を解決するために、［請求項７］に係わる本発明は、［請求項１］あるいは［請求項２］記載の釣り具の部品である棒浮きをＢタイプ中通し棒浮きに代えた釣り具で魚を釣る方法なので、本発明の主要部である中通し撒き餌カゴを代えるのではないので、何ら釣り具の所望の正常な一連の動きに影響を及ばさないので上記［０００６］［０００７］［０００８］［０００９］と略同一である、Ｂタイプ中通し棒浮きに逆円錐形重りを設けるか下落防止具を設けるかで（イ）（ロ）（ハ）３通りの釣り具になる、順次各々の魚を釣る方法を説明すると。
（イ）浮き止め、下部に逆円錐形重りを設けたＢタイプ中通し棒浮き、Ａタイプ中通し撒き餌カゴ、重り及び釣り針を止着あるいは十字架サルカンを介してサビキを設けその先に重錘を止着した仕掛け、を用いた釣り具である。組み立て方は、まず、釣り竿の先端から道糸を伸ばし、道糸には重りあるいは重錘が所望の水深で沈降を停止するように浮き止めが固定してある、該道糸をシモリに挿通し、Ｂタイプ中通し棒浮きの糸孔に挿通する、そしてＡタイプ中通し撒き餌カゴの天井部中央の孔及び受け皿中央の孔に挿通し、下端には重りを止着し重りからハリスを伸ばし先端に釣り針を止着するあるいは道糸の下端に十字架サルカンを止着し十字架サルカンにサビキを連結しその先端に重錘を止着する、道糸の下端に止着する重りは［０００６］（ロ）記載の重り（丸重り）であるが［００１１］記載のサオ重りの方が良い、なぜならば、サオ重りのサオが長いのでその長さの距離だけ金属メッシュ構造のＡタイプ中通し撒き餌カゴからハリス及び釣り針を遠ざけることができるので、ハリス及び釣り針がＡタイプ中通し撒き餌カゴに絡みにくくなる。サオ重りのサオの撓りはサオを替えることにより変えられ、サオ重りを替えることによりスプリングの強さを替えることができ、魚がつけ餌を呑み込むまであるいは針先が魚の口に食い込むまでの力を調節できる、つけ餌を引っ張ったときの反発力を調整出来るので警戒心の強い魚を釣るときに適している、それに対し十字架サルカンにサビキを連結しその先端に重錘を止着する仕掛けは青物魚を釣るときに用いる、該仕掛けは投入時に釣り竿を強く振ることによりサビキ先端の重錘の遠心力のより枝ハリス糸及び釣り針をＡタイプ中通し撒き餌カゴから遠ざけることができるので絡みにくくなる、該釣り具を海中に投入する前にすることは、まずＡタイプ中通し撒き餌カゴの側面に設けた側蓋のヒンジ部を支点として横方向へ回動させることにより、撒き餌カゴ本体の撒き餌入り口を開放する、そして該入り口から撒き餌カゴ本体内へ適当な量の撒き餌を投入し、側蓋を閉鎖位置へ回動させる、そして側蓋に設けられた止め金具により閉止状態に保持する、そして道糸の下端に止着したサオ重りあるいは十字架サルカンを受け皿下面に設けた重り掛合用堤に掛合して道糸を牽引することにより、Ａタイプ中通し撒き餌カゴは道糸にぶら下がった状態になる、このような状態で釣り具を海中へ投入し道糸を水中へ繰り出すことにより、Ａタイプ中通し撒き餌カゴ及びサオ重りあるいは十字架サルカンのサビキ仕掛けは沈降する、サオ重りあるいは十字架サルカンのサビキ仕掛けは道糸に固定した浮き止めがシモリを介してＢタイプ中通し棒浮きの先端の糸孔に係止されることにより沈降を停止する、Ａタイプ中通し撒き餌カゴは筒体が金属メッシュ構造になっているので撒き餌カゴ内の撒き餌を分散し易い、かつＡタイプ中通し撒き餌カゴの比重は海水よりも軽くできているので、撒き餌を撒きながら沈降し撒き餌が少なくなると自然と浮上しようとする動きに転じる、ゆえにサオ重りあるいは十字架サルカンの上の任意の位置まで沈降した後浮上する、そしてＢタイプ中通し棒浮きの上部の海面まで道糸に沿って円滑に移動及び通過し海面へ姿を表す、Ａタイプ中通し撒き餌カゴの天井部の窪みの上面の色が見えることで、ハリス糸が釣り具に絡んだり、釣り針が釣り具に針掛かりをせずに無事に海底に沈み撒き餌がばらけたことを感知することができる、その後Ａタイプ中通し撒き餌カゴは波の上下動に合わせて上下運動をするが、もし波高が高いときはシモリ及び浮き止めを通過してしまいＢタイプ中通し棒浮きより離れさらに遠ざかって行く、上記一連の動きをするＡタイプ中通し撒き餌カゴであるが該撒き餌カゴが投入後上記のどの状態であるに関わらず、魚がつけ餌を引っ張ればその力は撒き餌カゴには何ら力を及ぼさずＢタイプ中通し棒浮きに直接力を及ぼす、ゆえに釣り人には魚のアタリがはっきり分かるので、それに合わせて釣り竿を立てれば良い。
（ロ）浮き止め、下部に逆円錐形重りを設けたＢタイプ中通し棒浮き、サブマリンカゴ、重り及び釣り針を止着あるいは十字架サルカンを介してサビキを設けその先に重錘を止着した仕掛け、を用いた釣り具である。組み立て方は、釣り竿の先端から道糸を伸ばし、道糸には重りあるいは重錘が所望の水深で沈降を停止するように浮き止めが固定してある、該道糸をシモリに挿通し、Ｂタイプ中通し棒浮きの糸孔に挿通する、そしてサブマリンカゴの天井部中央の孔に挿通し、下端には重りを止着し重りからハリスを伸ばし先端に釣り針を止着するあるいは道糸の下端に十字架サルカンを止着し十字架サルカンにサビキを連結し先端に重錘を止着する、道糸の下端に止着する重りは［０００８］（ハ）記載の重りと同じくサブマリンカゴの筒体の構造により２通りある、その中の突き飛ばしオモリにも２種類ある、それに加えてさらにサオ重りを用いる場合があり、合計４種類の重りがある、該釣り具を海中に投入する前に、まずサブマリンカゴを角度略１８０度回動させて開口部を上向きに保持して、サブマリンカゴの底部に設けた底蓋を上方に回動することにより、サブマリンカゴ本体の開口部を開放する、そして該開口部から撒き餌カゴ本体内へ適当な量の撒き餌を投入し、底蓋を閉鎖位置へ回動させる、そして道糸に止着した重りあるいは十字架サルカンを底蓋下面に設けた重り掛合用堤に掛合して道糸を牽引することにより、重りあるいは十字架サルカンが引っ張られて底蓋を閉止状態に保持する、つまり底蓋の円盤の円周縁とサブマリンカゴ本体の開口部縁とが当接させられ、道糸を強く牽引することにより固定される。道糸の先端に結ぶのが重りの場合は、ハリス先端に止着した釣り針につけ餌を刺して該釣り針とつけ餌を底蓋下面に設けたつけ餌ポケットに収める、底蓋下面につけ餌ポケットを設けないタイプの底蓋を用いる場合は、底蓋を閉めるまえにつけ餌を釣り針のその先がサブマリンカゴの開口部金属縁と底蓋の切欠き部先端の金属板の間に挟まれるように投入した撒き餌の上に置く。次に十字架サルカンの場合は、牽引することにより閉止状態を保持するだけである。そしてサブマリンカゴ内に収納した撒き餌を落とさないように、道糸を牽引しながらサブマリンカゴを角度略１８０度回動させることにより、道糸の下端に止着した重りあるいは十字架サルカンを底蓋下面に設けた重り掛合用堤に掛合して道糸を牽引することになり、撒き餌を入れたサブマリンカゴが道糸にぶら下がった状態になる。このような状態で釣り具を海中へ投入する。投入後、道糸を水中へ繰り出すことにより、サブマリンカゴ及び重りあるいは十字架サルカンのサビキ仕掛けは海底へと沈降するのであるが、十字架サルカンを用いる場合は上記（イ）記載の十字架サルカンの仕掛けの投入の仕方や釣り方と略同一である、重りを用いる場合でサブマリンカゴの筒体が金属メッシュ構造である場合は、上記（イ）記載のサオ重りを用いた釣り具での投入後の動きや釣り方と略同一である、一方、サブマリンカゴの筒体が合成樹脂の筒体に複数の透孔が形成された構造の場合は、４種類の重りの中で専ら突き飛ばしオモリを用いる、そのときのサブマリンカゴ投入後の動きや釣り方は、釣り具を海中に投入すると突き飛ばしオモリの海底へ沈む速さはサブマリンカゴよりも速いので突き飛ばしオモリはハリス糸を引っ張る、つけ餌ポケットが有る場合は、つけ餌ポケットからつけ餌を引っ張り出す、そのとき、底蓋の中央の穴を挿通していた道糸が底蓋の切欠きに沿って外に出る動作を強制的に行わせる、つけ餌ポケットが無いタイプの場合は、底蓋の切欠きの先端部を重くしているので、つけ餌を引っ張り出すとき底蓋は開いている、そして突き飛ばしオモリはサブマリンカゴからつけ餌を引っ張り出した後沈降する、そして道糸に固定した浮き止めがシモリを介してＢタイプ中通し棒浮きの先端の糸孔に係止されることにより沈降を停止する、一方サブマリンカゴは底蓋を９０度開いた状態で、カゴ内の撒き餌の比重が重たいので撒き餌とサブマリンカゴ本体との摩擦抵抗により撒き餌に連れられて海底へとゆっくり沈んで行く、そして、合成樹脂の筒体に透孔が開いた構造なので撒き餌が分散して散らばらずにサブマリンカゴが所望の水深まで沈んだところで、釣り竿をシャクルことにより道糸の先端に止着された突き飛ばしオモリが引っ張られてサブマリンカゴ内の撒き餌に強く突き当たり撒き餌を飛ばし散らす、するとサブマリンカゴ内の撒き餌が少なくなるので浮上して、Ｂタイプ中通し棒浮き上部の海面まで道糸に沿って円滑に移動及び通過し海面へ姿を表す、サブマリンカゴの天井部の窪みの上面の色が見えることで、ハリス糸が釣り具に絡んだり、釣り針が釣り具に針掛かりをせずに無事に海底に沈み撒き餌がばらけたことを感知することができる、その後サブマリンカゴは波の上下動に合わせて上下運動をするが、もし波高が高いときはシモリ及び浮き止めを通過してしまいＢタイプ中通し棒浮きより離れさらに遠ざかって行く、上記一連の動きをするサブマリンカゴであるが該サブマリンカゴが上記のどの状態であるかに拘らず、魚がつけ餌を引っ張ればその力はサブマリンカゴには何ら力が及ぼさずＢタイプ中通し棒浮きに直接力を及ぼす、ゆえに釣り人には魚のアタリがはっきり分かる。第一のタイプの突き飛ばしオモリを用いる場合は、シャクル回数は１回である、何回もシャクルと針掛かりの可能性が高いので行わない。第二のタイプの突き飛ばしオモリを用いる場合で、第二のタイプの突き飛ばしオモリを海中に係留する場合は、数回シャクルことができる。何故か、それは図２２に図示した一連の動きの中で、釣り人がシャクルことにより道糸の先端に結ばれた第二のタイプの突き飛ばしオモリが引っ張られてサブマリンカゴ内の撒き餌に突き刺さり、そして第二のタイプの突き飛ばしオモリが海底へと沈むとき、図２２の（え）（お）に図示（図１７の左上の縦断面図参照）、第二のタイプの突き飛ばしオモリの下端の輪につながれた長い線材の長さの距離だけサブマリンカゴから離れて海底へと沈んで行くので、ハリス及び釣り針が絡みにくい、この動きは何回シャクル動作をしても同じである。ただし、第二のタイプの突き飛ばしオモリが所望の水深まで沈まないうちに｛（う）の状態にならないうちに｝シャクルとサブマリンカゴに絡んだり針掛かりしたりが起きる可能性がある。サオ重りは警戒心の強い魚を釣るとき十字架サルカンは青物魚を釣るときに用いるのは上記（イ）記載と略同一である、一方突き飛ばしオモリの場合は、サブマリンカゴが所望の水深まで沈んだところで撒き餌を突き飛ばし散らすことかできるので、海底の周辺に撒き餌をする必要のある魚種を釣るときに用いる。また、第二のタイプの突き飛ばしオモリには上記以外のもうひとつの釣り方がある、それは海底にへばりついた魚を釣る釣り方である、道糸に固定した浮き止めの位置を調節することにより第二のタイプの突き飛ばしオモリが丁度海底に達するようにする、そして、サブマリンカゴが海底まで沈んで行くように撒き餌（アミ＋集魚剤）を調節する、そして、遠くへ釣り仕掛けを投げたらシャクらずに第二のタイプの突き飛ばしオモリとサブマリンカゴが海底に着くのを待って海底に着いたらゆっくり引いて魚のアタリを探る、アタリが鈍いときは小さくシャクル、そして、魚が掛かかるまでジッと待つ、つまり、海底すれすれに撒き餌を散らして濁った海底の中に第二のタイプの突き飛ばしオモリを置くことにより、魚の目を晦ませることで海底にへばりついた魚を釣る方法。
（ハ）浮き止め、下部に下落防止具を設けたＢタイプ中通し棒浮き、サブマリンカゴ、重り及び釣り針を止着あるいは十字架サルカンを介してサビキを設けその先に重錘を止着した仕掛け、を用いた釣り具である。組み立て方は、釣り竿の先端から道糸を伸ばし、道糸には重りあるいは重錘が所望の水深で沈降を停止するように浮き止めが固定してある、該道糸をシモリに挿通し、サブマリンカゴの天井部中央の孔にＢタイプ中通し棒浮きの頭部を該孔下から突っ込んでサブマリンカゴの天井部中央の孔からＢタイプ中通し棒浮きの頭部を突き出した状態でＢタイプ中通し棒浮きの糸孔に挿通する、そして、下端には重りを止着し重りからハリスを伸ばし先端に釣り針を止着するあるいは道糸の下端に十字架サルカンを止着し十字架サルカンにサビキを連結し先端に重錘を止着する、該釣り具を海中に投入する前にサブマリンカゴ内に撒き餌を収納するが、その方法はＢタイプ中通し棒浮きをサブマリンカゴの天井部中央の孔に下から突っ込んでサブマリンカゴの天井部中央の孔の周囲に下落防止具が引っ掛かった状態でする、そのこと以外は上記（ロ）記載と略同一である、釣り具を海中に投入するとサブマリンカゴは下落防止具にぶら下がったままで、重りあるいは十字架サルカンのサビキ仕掛けは海底へと沈降するのであるが、十字架サルカンを用いるのは青物魚を釣るときで上記（イ）記載の十字架サルカンの仕掛けの投入の仕方や釣り方と略同一である、重りは［０００８］（ハ）記載のオモリであるが、突き飛ばす必要がないので、［０００６］（ロ）記載の重り（丸重り）あるいはサオ重りである、サオ重りの場合は上記（イ）記載のサオ重りを用いた釣り具投入後の動きや釣り方と略同一である、［０００６］（ロ）記載の重り（丸重り）を道糸の下端に用いた釣り方は、小魚が多いときで、釣り具を海中に投入すると着水時の衝撃で小魚はビックリして逃げる、その間に重りはハリス糸を引っ張り、つけ餌ポケットが有る場合は、つけ餌ポケットからつけ餌を引っ張り出す、そのとき、底蓋の中央の穴を挿通していた道糸が底蓋の切欠きに沿って外に出る動作を強制的に行わせる、つけ餌ポケットが無いタイプの場合はつけ餌を引っ張り出すそのときは底蓋は開いている、重りは道糸に固定した浮き止めがシモリを介してＢタイプ中通し棒浮きの糸孔に係止されることにより沈降を停止する、サブマリンカゴの筒体が金属メッシュ構造であろうが合成樹脂製の筒体に複数の透孔が形成された構造であろうがサブマリンカゴは下落防止具にぶら下がっている状態なので撒き餌は常に海面近くに散らばって小魚を海面近くに留まらせる、サブマリンカゴは撒き餌が少なくなると浮上してＢタイプ中通し棒浮き上の海面に姿を表す、サブマリンカゴの天井部の窪みの上面の色が見えることで、ハリス糸が釣り具に絡んだり、釣り針が釣り具に針掛かりをせずに無事に海底に沈み撒き餌がばらけたことを感知することができる、その後サブマリンカゴは波の上下動に合わせて上下運動をするが、もし波高が高いときはシモリ及び浮き止めを通過してしまいＢタイプ中通し棒浮きより離れさらに遠ざかって行く、魚がつけ餌を引っ張ればその力はサブマリンカゴには何ら力が及ぼさずＢタイプ中通し棒浮きに直接力を及ぼす、ゆえに釣り人には魚のアタリがはっきり分かる。
【発明の効果】
【００１５】
このように本発明の釣り具は以下に記載される効果を奏する。請求項１〜請求項７の全体に言えることは課題を解決することによる効果である、つまり、従来の撒き餌カゴ釣りではできなかった、魚の小さなアタリを浮きで感知することができるようになった、なおかつハリス糸が釣り具に絡んだり釣り針が釣り具に針掛かりしたりせずに無事に撒き餌が散らばって所望の正常な一連の動きをしたことを中通し撒き餌カゴの天井面が海面上に姿を表すことにより感知できるようになった。このことによりつけ餌が撒き餌カゴから離れて海中を浮遊して、魚が掛かるのを待っている状態になってるかどうか感知することができるようになり、無駄に魚が掛かるのを待つ時間を短くすることができるようになった。上記の課題を解決することによる効果の他に、請求項２によると、底蓋の下面につけ餌ポケットを設けるタイプでは、つけ餌をつけ餌ポケットに収容することにより遠投時のハリス糸の絡みや釣り針の針掛かりの発生を防止することができる、サブマリンカゴの筒体が合成樹脂製の筒体に複数の透孔が形成された構造の場合は、突き飛ばしオモリを用いることにより海底の周辺に撒き餌をすることができので、海底に居る魚種を釣ることができるだけでなく、海底にへばりついて居る魚を警戒心が無くなることにより釣ることができるようになった。請求項３によると、従来の棒浮きに用いるシモリペットは横に大きく突出しているため中通し撒き餌カゴの天井部中央の孔に引っ掛かりやすい、Ａタイプ中通し棒浮きを用いることによりスム−ズに何ら引っ掛かるものがなく通過しやすい、ゆえに、中通し撒き餌カゴ内の撒き餌が無くなると棒浮きを通過して海面上に姿を表し易くなった。請求項４によると、サオ重りを用いた釣り具により、サオ重りのサオの撓りが釣りの対象としている魚に合致するようにすると、一般に初心者には釣ることが難しいとされている警戒心の強い魚といえども簡単に釣ることができるようになった。請求項５によると、コイル状バネ付蝶番をＢタイプ中通し撒き餌カゴと底蓋との連結に用いてサブマリンカゴを構成することにより、サブマリンカゴが海中に投入されるとコイル状バネ付蝶番のコイル状バネが元の状態に戻ろうとして、捩じれの弾性力により強制的に底蓋とＢタイプ中通し撒き餌カゴの開口部の角度が９０度になる、つまりつけ餌ポケットの開口部を強制的に真下を向かせる、このことにより重りがハリス糸を引っ張ったときつけ餌ポケットからつけ餌をスム−ズに引っ張り出すことができ、かつ、突き飛ばしオモリを用いて強制的に撒き餌をするとき（つまりシャクルとき）底蓋を打つトラブルを防止できるようになった。請求項６によると、Ｂタイプ中通し棒浮きを用いることにより釣り場の状況、海の状況に対応できるばかりでなく、海の中にどういう魚が居るか判断して、そこに居る魚に合わせ臨機応変にしかも短時間に釣り具を変えることができるようになった。具体的には、［００１４］（請求項７）記載はＢタイプ中通し棒浮きを用いた釣り具で魚を釣る方法なので［００１４］と略同一。
【発明を実施するための最良の形態】
【００１６】
常識的に釣るのが難しいとされている、警戒心の強い魚を釣るための釣り具が最良の実施の形態だと思われるが、そうだとすると、敏感な浮きと魚に対して柔軟に対応できる釣り具が良い、その釣り具は、図１の如く、Ａタイプ中通し棒浮きとサブマリンカゴとサオ重りとを組合わせた釣り具である。［００１０］（請求項３）記載の釣り具の一例である。つまり、請求項３記載の釣り具の実施の形態である。この場合のＡタイプ中通し棒浮きとは、円筒形棒浮きの上部が上に向かって先細に成っている、この場合のサブマリンカゴとは、Ｂタイプ中通し撒き餌カゴ・バランシング重り・連結具・底蓋・重り掛合用堤を組み合わせたもので、［０００８］（イ）（ロ）に記載の一例で、まず、筒体が金属メッシュ構造に作られ、なおかつ天井部の縁が上方に伸びて、該上方に伸びた縁にド−ナツ状の浮力の大きな材料で作られた輪形浮きを螺着して固定したＢタイプ中通し撒き餌カゴ。次に嵌着タイプのバランシング重り。次にコイル状バネ付蝶番の連結具。次に該連結具により連結されたつけ餌ポケット挿着タイプの底蓋とで組合わされたサブマリンカゴである。該底蓋とは、下面に重り掛合用堤を固着して、さらに嵌挿タイプのつけ餌ポケットを挿着した底蓋である。この場合のサオ重りとは、［００１１］（請求項４）記載の釣り具の部品である。上記を順次説明すると、まず、先細形のＡタイプ中通し棒浮きとは、［００１０］（イ）記載の釣り具の部品の一形態で、図２の如く、上部の円筒形棒浮きが上に向かって先細になっているＡタイプ中通し棒浮きである、材料は硬質発砲スチロ−ル・発砲ウレタン・ウレタン樹脂・バルサ材・カ−ボン・エバ等である。中通しパイプの材料はグラスファイバ−・カ−ボン・プラスチック・パ−ルトップ等である。逆円錐形重りの材料は鉛・鉛合金等である。円筒形棒浮きの太い部分の長さ（量）を製造時に調節することにより、逆円錐形重りとサオ重りの合計の重さより円筒形棒浮きの浮力の方を大きくして、円筒形棒浮きの先細の部分だけが水面上に頭を出すようにする。そうすることにより、魚の小さなアタリを敏感に感知することが出来るという効果がある。次にサブマリンカゴの構成要素であるＢタイプ中通し撒き餌カゴとは、筒体が金属メッシュ構造に作られた［０００８］に記載の「あるいはカゴ本体上部の外周に浮力材を設けた」の中の一例である。図３の如く、Ｂタイプ中通し撒き餌カゴの胴部が網の目状になっていて、材料はステンレス・黄銅・プラスチック等が考えられる。なおかつ天井面の縁が上方に突出し、その天井面より上方に伸びた縁は合成樹脂やプラスチック等でできていて、厚さが厚くなっている、胴部が線材を網の目状に編んで出来上がってる場合は、その厚くなっている縁に胴部を形成している線材（ステンレス・黄銅等）を食い込ませることにより固着する。該上方に伸びた縁の外面に螺子を形成しておねじと成し、該おねじと合致するように、輪形浮きの基礎材の内面に螺子を形成してめねじを形成して（該基礎材めねじの谷の径は上方に伸びた縁のおねじの外径と同じ）螺着できるようにする。なお、基礎材の外面には浮力の大きな材料を強く固着する。一般に浮力の大きな材料と言えば柔らかい材料が多いが、石にぶつかっても割れたり簡単に傷ついたりしない材料でなおかつ輪形浮きの基礎材（合成樹脂やプラスチック等）に強く固着しなければならないので硬質発砲スチロ−ル・発砲ウレタン・ウレタン樹脂・バルサ材・カ−ボン・エバ等が考えられる。輪型浮き（輪形浮きの基礎材に浮力の大きな材料を固着したもの）を交換することによりサブマリンカゴが海水よりも軽くしたり重くしたり自由に浮力の調節ができるようになるという効果がある。次にサブマリンカゴの構成要素であるバランシング重りは、［０００８］（イ）に記載の「底蓋の重さとバランスをとるために底部の開口部縁で連結具と１８０度反対側の位置にバランシング重りを設け」の中の一例で、嵌着タイプのバランシング重りとは、図４（ｂ）の如く、Ｂタイプ中通し撒き餌カゴの下方開口部の縁は合成樹脂やプラスチック等でできていて、厚さが厚くなっている、胴部が線材を網の目状に編んで出来上がってる場合は、縁を厚くして枠と成し、その厚くなっている枠に胴部を形成している線材の先端を埋めることにより固着する。あるいは、厚くした枠に胴部を形成している線材を巻き付ける。該厚くした枠に穴を開け、該穴に嵌合する弾性体（ビニ−ル・合成ゴム等）でできたキャップ（穴の中に埋まらないように頭部の円周の縁が横に突出したまんじゅう形）と該キャップの孔に嵌合する金属類（鉛・鉛合金等）でできたリベット形重り（穴の中に埋まらないように頭部の円周の縁が横に突出したまんじゅう形）とを上記厚くした枠に開けた穴の中でリベット形重りとキャップが嵌合することにより固定するもの。厚くした枠に開けた穴に弾性体でできたキャップを嵌合して、該キャップの孔にリベット形重りを挿入することによりキャップの孔が押し広げられることにより、キャップが枠に開けた穴に強く押しつけられて当接することにより枠に固定される。次にサブマリンカゴの構成要素である連結具で、［０００８］（イ）に記載の「Ｂタイプ中通し撒き餌カゴの底部の開口部縁の外周一側に、連結具により連結され」の中の一例である、コイル状バネ付蝶番の連結具とは、［００１２］（請求項５）記載の釣り具の部品である、つまり、請求項５記載の釣り具の実施の形態である。下記［００１７］で具体的に記載しているので下記を参照してください。図１ではＢタイプ中通し撒き餌カゴの枠と底蓋の端部とを同じ合成樹脂・プラスチック・エラストマ−ゴム等で作り蝶番の２枚の平板をそれぞれ一方をＢタイプ中通し撒き餌カゴに他方を底蓋にリベット打ち込みにより固着しているが、ボルトナット締め（この場合ボルトとナットを合成樹脂・プラスチック等で作ったほうがよい）や接着剤により固着する方法でも良い。図１の連結部の詳細図は図５の下半分の使用状態図と同じなのでそれを参照してください。次にサブマリンカゴの構成要素である底蓋で、［０００８］（ロ）に記載の「底蓋には、底蓋の下面につけ餌ポケットを設けたものと」の中の一例である、嵌挿タイプのつけ餌ポケットを挿着した底蓋とは、図６の如く、鉤状のレ−ルを切り開き部の横の底蓋下面に切り開き部と平行に固着させるあるいは一体成形する。そのレ−ルに挿入して嵌合できるような弾性性能のある台座が付いたつけ餌ポケットを挿着することである。底蓋の材料は合成樹脂・プラスチック等でできていて、台座が付いたつけ餌ポケットは、つけ餌ポケットと台座とを同じ材料で一体成形するので、弾性性能のあるエラストマ−ゴム・ビニ−ル・合成ゴム・合成樹脂等でできている。レ−ルの材料は固着させる場合はセラミック・アルミニウム・黄銅・真鍮等が考えられ、固着する方法は接着剤である。一体成形する場合は底蓋と同じ材料である。ここで注意しなければならないことはつけ餌ポケットを固定するタイプもつけ餌ポケットを固着するタイプも共通して言えることだが、つけ餌ポケット内の最奥部に空気を抜くための穴を設けなければならない。何故ならばつけ餌ポケット内に空気が滞留していると空気の浮力により、着水後Ｂタイプ中通し撒き餌カゴが海底に沈むとき底蓋が閉まるトラブルを起こすからである。また、図６の左上の挿着説明図のように、底蓋が開いた時につけ餌ポケットの開口部が下を向くように、鉤状レ−ルにつけ餌ポケットを挿着する。台座の厚さｅはレ−ルの内側の丈ｆと同じで、台座の幅のサイズｇはレ−ルとレ−ルの内側の幅のサイズｈと同じ大きさにする、そうすることでレ−ルの内側にピッタリと合致して簡単には外れないようになる。つけ餌ポケットの最奥部の台座端にはつけ餌ポケットが通り過ぎないように爪を突設する。次にサブマリンカゴの構成要素である重り掛合用堤で、［０００８］（ロ）に記載の「底蓋の下面で中央の穴の周囲には重り掛合用堤を設けている、該重り掛合用堤とは釣り糸を上方に牽引することにより釣り糸に結合された重りを重り掛合用堤の凹部に掛合、」の中の一例である、下面に重り掛合用堤を固着した底蓋とは、図６の如く、サオ重りを掛合したときサオ重りが揺動しないように中央部が窪んでいる衝撃・磨耗に強い材料（ゴム弾性性能があればさらに良い）、つまり天然ゴム・合成ゴム・エラストマ−ゴム・プラスチック・合成樹脂・ナイロン・ビニ−ル等でできている堤である。固着する方法は接着剤である。次にサオ重りとは、上記［００１１］（請求項４）記載の釣り具の部品で下記［００１９］で具体的に記載しているので下記を参照してください。次に、上記最良の実施形態の釣り具の使用方法及び機能について説明するのだが、使用方法は［００１４］（ロ）記載の魚を釣る方法と同じで、（ロ）記載の「重りを用いる場合でサブマリンカゴの筒体が金属メッシュ構造である場合は、上記（イ）記載のサオ重りを用いた釣り具での、投入後の動きや釣り方と略同一である、」と書かれているように上記［００１４］（イ）の中のサオ重りを用いた場合と同じなので省略する。この実施の形態はサブマリンカゴの浮力の調節が簡単、つけ餌ポケットの大きさを変えるのが簡単、そのつけ餌ポケットとバランスをとるのがバランシング重りにより簡単であるという効果がある。
【００１７】
上記コイル状バネ付蝶番とは［００１２］（請求項５）に記載の連結具のことである、これを説明することは［請求項５］の実施の形態を書くのと同じである。コイル状バネ付蝶番とは、［００１２］（イ）に記載内容の順に説明すると、「蝶番には２枚の平板を連結する軸受け部があるが、該軸受け部中央にコイル状バネを設けたものである、蝶番の軸がコイル状バネの中心軸を兼ねるように軸を挿通し、蝶番の２枚の平板を１８０度広げた状態で、線材でできたコイル状バネの両端の各々別の線材を平板と交差する位置で９０度外側に各々別方向に曲げて延長し、各々別の平板に当接して固着したものである」とは、図５の上半分のコイル状バネ付蝶番の拡大正面図及び右側面図を見れば一目瞭然である。線材を蝶番に固着する方法は、ハンダ付け・溶接・接着剤等が考えられる。蝶番の材料はステンレス・黄銅・真鍮・亜鉛合金・プラスチック類等の固くて錆にくい材料でできている、コイル状バネも同じ様な材料の線材でできている、同じ材料あれば溶接やハンダ付けが良い。プラスチック類で線材と蝶番を作る場合は接着剤が良い。「蝶番の２枚の平板の片方を回転させるとコイル状バネに捩じれの弾性力が生じて、外力が無くなると元の状態の２枚の平板が広がった状態に戻る、元の状態に戻るという形状記憶の機能を持った蝶番である。」とは、図５の下半分の使用状態図の正面図及び右側面図を見れば一目瞭然である。Ｂタイプ中通し撒き餌カゴと蝶番及び底蓋と蝶番を固着する方法は、図５ではＢタイプ中通し撒き餌カゴの枠と底蓋の端部とを同じ合成樹脂・プラスチック等で作り蝶番の２枚の平板をそれぞれ一方をＢタイプ中通し撒き餌カゴに他方を底蓋にリベット打ち込みにより固着しているが、Ｂタイプ中通し撒き餌カゴの枠と底蓋がステンレス・黄銅・真鍮等の線材でできている場合は蝶番の２枚の平板を同じステンレス・黄銅・真鍮等で作り溶接やハンダ付けによる固着が良い、Ｂタイプ中通し撒き餌カゴの枠と底蓋が合成樹脂・プラスチック等でできている場合は蝶番の２枚の平板を同じ合成樹脂・プラスチック等で作りリベット打ち込みボルトナット締めや接着剤による固着が良い。その他、Ｂタイプ中通し撒き餌カゴの枠がステンレス・黄銅・真鍮等の線材で作り底蓋が合成樹脂・プラスチック等で作られたりした場合、蝶番の２枚の平板の一方を同じステンレス・黄銅・真鍮等で作り溶接やハンダ付けにより枠に固着し、他方を同じ合成樹脂・プラスチック等で作りリベット打ち込みボルトナット締めや接着剤により固着する方法等。固着する方法は種々考えられるが、釣り仕掛けが着水するとき一番力が加わる箇所なので他のどこの箇所より強固に固着しなければならない。また強固に固着できる方法で固着しなければならない。蝶番の２枚の平板を連結している軸（ピン）、コイル状バネを挿通している軸（ピン）と同じであるが、この軸（ピン）の材料はステンレスが良い。
【実施例１】
【００１８】
図７の如く、Ａタイプ中通し棒浮きとＡタイプ中通し撒き餌カゴの組合わせに、十字架サルカンあるいはサオ重りを組み合わせた釣り具である。［００１０］（請求項３）記載の釣り具の一例である。つまり、請求項３記載の釣り具の実施の形態である。この場合のＡタイプ中通し棒浮きとは、図７の如く、先細形Ａタイプ中通し棒浮きで［００１６］記載の先細形Ａタイプ中通し棒浮きと同じなので省略、サオ重りについては下記［００１９］で詳細に記載しているので下記を参照してください。十字架サルカンについては下記［００２０］で詳細に記載しているので下記を参照してください。この場合の、Ａタイプ中通し撒き餌カゴとは、図７の如く、Ａタイプ中通し撒き餌カゴの筒体は垂直に配置されたコイル状の線材とそのコイルの円周方向の複数位置に縦向きに配置された複数本の線材とを組み合わせた金属メッシュ構造で筒体の上部は上方に向かって直径が徐々に減少するド−ム形状を途中まで形成した頭部になっており、該頭部の天井の中央に孔を設ける、該孔は棒浮きを楽々と挿通できるぐらいの大きさの孔で、かつ棒浮きが通過しやすいようにカゴ内部の方向に窪んでいる、該窪みの上面は棒浮きと識別できるように棒浮きと違う色に着色し、なおかつ該天井部中央の孔の外周で頭部下面には浮力材を固着する。筒体の側面には開閉可能な側蓋が設けられ、該側蓋には側蓋の閉止を保持するための止め金具が付いている、撒き餌入れ口となっている。筒体の下部は下方に向かって直径が徐々に減少する形状を途中まで形成した底部になっており、該底部には受け皿が固着されている、該受け皿の中心には棒浮きを楽々と挿通できるぐらいの大きさの孔を有し、かつ該中心軸線上の孔（底部中央の孔）は棒浮きが通過しやすいようにカゴ外部の方向に突出している、受け皿の下面（外面）で底部中央の孔の周囲には、孔を囲む形状（つまり孔の直径を内径とする円筒状）に重り掛合用堤が固着されている。図１３の天井部の如く（図１３はＢタイプ中通し撒き餌カゴの実施例であるが、天井部だけはＡタイプ中通し撒き餌カゴの実施例として兼用できる）天井部を形成している材料（合成樹脂・プラスチック等）で浮力の大きな材料を包み込んで頭部の下面に固着させている。浮力の大きな材料を充満せずに、空の空気だけでもよい。浮力の大きな材料は硬質発砲スチロ−ル・発砲ウレタン・ウレタン樹脂・バルサ材・カ−ボン・エバ等である。筒体は線材（ステンレス・黄銅・真鍮等）を網の目状に編んで作り、筒体を形成している線材を天井に伸ばして、頭部の上面の窪みの頂部を引っ掛け、なおかつ線材と頭部の上面とを接着剤で接着することにより頭部と筒体の上部を固着している。筒体側面の側蓋は筒体と同じ線材で網の目状に編んで作り、筒体側面の開口部枠と側蓋の枠の両方の線材を多重コイル（ヒンジ部）の中心軸にすることにより連結している、図７では多重コイルになっているが、側蓋を形成している線材に三角形状の線材を重ねて組み合わせて、該三角形状の線材の両端部を側蓋が開閉可能に支持する一対のヒンジ部としても良い、筒体側面の側蓋のヒンジ部と１８０度反対側には弾性材質の線材を曲げて作った止め金具があり、蓋を閉めたとき線材（ステンレス・黄銅・真鍮等）の弾性力により、筒体側面の開口部枠に引っ掛けて止めるようになっている。次に受け皿は［０００６］（イ）記載の「底部には中央に棒浮きを楽々と挿通できるぐらいの大きさの孔を有した受け皿を設け、」の中の一例である。受け皿を形成している材料は合成樹脂・プラスチック等である。図７では分かり難いと思うが、受け皿の縁が上方に突出し、該受け皿の上方向の突出した縁に縦に切れ込みをいれて欠け部をつくり、網の目状の胴部を形成している縦の線材の位置を縦に切れ込みをいれた欠け部の位置に合わせて、受け皿の上方向の突出した縁を欠け部の直近の横の線材の外側になるように嵌合し、網の目状の胴部を形成している縦の線材が受け皿の外側に回るようにすることにより、嵌着して設けてある、さらに線材と受け皿を接着剤で固着することにより強固に固着される。次に重り掛合用堤とは、［０００６］（イ）記載の重り掛合用堤である。図７の如く、円筒の形状をしたもので、衝撃・磨耗に強い材料（ゴム弾性性能があればさらに良い）、つまり天然ゴム・合成ゴム・エラストマ−ゴム・プラスチック・合成樹脂・ナイロン・ビニ−ル等でできている。次に、上記実施例１の釣り具の使用方法及び機能について説明するのだが、使用方法は［００１４］（請求項７）（イ）記載と同じで、釣り具を投入後の一連の動きも（イ）記載と同じなので省略する。この実施の形態はＡタイプ中通し撒き餌カゴが壊れ難いので、長持ちするという効果がある。
【００１９】
サオ重りとは、［請求項４］記載のサオ重りのことで、つまり、［００１１］（イ）に記載のサオ重りのことである。これを説明することは［請求項４］の実施の形態を書くのと同じである。サオ重りとは、図８（ａ）の如く、サオの長さや太さを種々のサイズを揃えておいて、釣り場の状況や対象魚に応じてサオを選べるようにしておく。サオを交換することは短時間にできるので、サオの撓りやサオの長さを調節することは簡単である。釣りの対象魚にその撓りと長さが合致すると警戒心の強い魚と言えども多数釣れることが期待できる。サオ重りのスプリングバネの強さの調節によって、椀の窪みにサオの球状物が落ち込むまでの力を調節することによって、警戒心の強い魚に違和感を感じさせないことができるが、スプリングバネの交換はサオ重り本体を交換しなければならないので短時間にはできない、サオの撓りやサオの長さのサイズを揃えておく事が重要である。［００１１］（イ）に記載内容の順に説明すると、「中心孔の下端穴を中心にして該重り下部を椀の形に窪ませ、該椀の形に窪ませた重りの下部面に嵌合するように金属板を固着する」とは、サオ重りの中心軸を貫通している中心孔がサオ重りの尻部に出る所を中心にして椀形に尻部を削り、椀形に凹ませた金属板と合致するようにする、さらに該椀形に凹ませた金属板の縁を曲げて尻部に被せて固着することである。金属板の材料はステンレス・黄銅・真鍮等である。固着する方法は接着剤あるいは曲げた縁の先端をさらに曲げて重りを包むものに食い込ませて固定し、なおかつサオ重りの尻部と椀形に凹ませた金属板とを接着剤で固着する。椀形の金属板の中心には穴が有り中心孔と同じ大きさで、該大きさは挿通した線材の太さよりも太く、中心孔に挿通した線材の下端の輪の外径よりも十分に小さい穴である。重錘の材料は鉛・鉛合金等である。包むものの材料は黒檀・バルサ材・カ−ボン・プラスチック・合成樹脂・合成ゴム・エラストマ−ゴム等である。ただし、重錘と包むものを下記［００２１］に記載の第一のタイプの突き飛ばしオモリのように一体形成することも考えられる。その場合の材料はセラミック・アルミニウム・真鍮・亜鉛合金等である。次に「該下端の輪には弾性材料でできたサオを挿通して設ける、」とは、中心孔に挿通した線材の下端の輪にサオの先端の小さな輪を先頭に挿通することで、つまり、図８（ａ）を（ｂ）に挿通したかたちで図８（ａ）（ｂ）を見れば図８は使用状態説明図なので一目瞭然である。サオの材料はステンレス・黄銅・真鍮等の錆にくい弾性金属あるいは弾性性質のあるプラスチック類等である。次に「該上端の輪（糸止め部）と重り頭部の間にスプリングバネを線材が中心軸になるように設け、」とは図８（ｂ）の如く、上端の輪とドングリ状の頭との間にスプリングバネが貫通穴に挿通した線材を中心軸として有ることである。上端の輪の外径Ｓ＞スプリングバネの内径Ｔ＞貫通穴の内径Ｕの関係である。次に「サオとは、球状物より球状物の接線上に線材が伸びているもので、ゴルフのクラブのウッドに似ている、ゴルフのクラブの形と違うところは、線材はクラブのシャフトの様に直線ではなく線材は球状物（ヘッド）との接点近くで球状物と反対側に凸カ−ブしてまた元の接線上の線材に戻っているところである、線材で球状物と反対側（ゴルフのグリップ側）の先端は小さな輪になっていて糸止め部の役割をする、中心孔に挿通した線材の下端の輪の内径は、サオの球状物よりも十分に小さく、サオの線材の直径（太さ）よりも十分に大きい」とは、図８（ａ）を見れば一目瞭然と思われる。サオの球状物の直径Ｘ＞下端の輪の内径Ｙ＞サオを先端の輪の外径Ｚの関係である。次に「サオのセットの仕方は、貫通穴に挿通した線材の下端の輪にサオの先端の小さな輪（糸止め部）から挿入して、該サオの線材のカ−ブしている所の頂点がサオ重りの中心孔に挿通した線材の下端の輪の所に来るように移動することによりサオ重りは組み立てられる」とは、図８（ｃ）はセットが終わった後の状態の縦断面図である、球状物と反対側にカ−ブしている所の頂点を下端の輪がスプリングバネの弾性力で上へと引っ張っている、図８（ｃ）を見れば一目瞭然と思われる。次に「魚がつけ餌をくわえて下に引っ張るとサオの球状物が椀の中に落ち、下端の輪は球状物の直径よりも十分に小さいのでサオは輪から抜け出ることはない」とは、図８（ｃ）の如く先端の小さな輪にハリス糸が連結され（スナップ付サルカンを介してハリス糸を連結したほうが良い、何故ならば、サオを交換するとき短時間で交換できるから。）、その先につけ餌をつけた釣り針が結ばれる、そして魚が掛かるのを待つ、釣り針に付けられたつけ餌を魚が食わえ込んで引っ張ると、図８（ｄ）の如くカ−ブしている所を支点として球状物の背が椀の縁を押し上げて、球状物が椀の中に落ち込んで抜け出ることができなくなる、サオ重りを用いた請求項１・請求項２・請求項３の釣り具において、サオ重りの幅のサイズをＲ、底蓋の中央に開けた穴の直径をｍ、Ｂタイプ中通し撒き餌カゴ天井部中央の穴の直径サイズｂ、Ａタイプ中通し撒き餌カゴ下部受け皿の中央の穴ｎ、とするとＲ＞ｍ、Ｒ＞ｂ、Ｒ＞ｎの関係が必要である。
【００２０】
十字架サルカンとは、［請求項１］・［請求項２］記載の十字架サルカンのことで、つまり、［０００６］（ハ）・［０００８］（ニ）記載の十字架サルカンのことである。［０００６］（ハ）に記載内容の順に説明すると、「横から見ると十字架の形をしたサルカンで、固いて錆びにくい材料でできた十字架サルカンの頭の部分と足の部分（縦方向の両端）の輪に従来のサルカンが設けられている。」とは、図９正面図を見れば一目瞭然である。十字架サルカン本体の材料はアルミニウム・ステンレス・黄銅・真鍮・亜鉛合金等の固くて錆にくい材料でできている。図９正面図の如く、十字架の頭と足の部分には従来のサルカン（あるいはよりもどし）が連結されている。「十字架の両腕の掌の部分（横方向の両端）の掌の上には、‥‥‥‥十文字の形に見える。」とは、図９（ａ）平面図、あるいは図９（ｂ）平面図、掌の上の平板の形が違う（十字架サルカンのその他の実施例になる）、を見れば一目瞭然である。平板の材料は十字架サルカン本体の材料と同じで、アルミニウム・ステンレス・黄銅・真鍮・亜鉛合金等の固くて錆にくい材料でできている。同じ材料の場合は溶接、違う材料の場合はハンダ付けが良い。「両腕の掌と掌の間の距離は重り掛合用堤の直径と同じ距離である、」とは、図７のＡタイプ中通し撒き餌カゴ下部受け皿の中央に設けた重り掛合用堤の土手の心から心までの距離Ｖ、あるいは、図１５（ａ）の重り掛合用堤の土手の心から心までの距離Ｖ、と図９（ａ）・（ｂ）平面図の、掌の平板の心から心までの距離Ｗが同じである、Ｖ＝Ｗの関係が必要である。［０００８］（ニ）に記載内容の「両腕の掌と掌の間の距離はサブマリンカゴの天井部中央の穴よりも十分に大きい距離にする、」とは、サブマリンカゴを用いる請求項２の釣り具の場合のことで図３・図１３・図１４で示した天井部中央の穴の直径ｂよりも掌の平板の心から心までの距離Ｗが十分に大きい距離にすることである、つまりＷ＞ｂの関係であることである。このことにより、釣りが終わってリ−ルを巻き上げるとき、Ｂタイプ中通し撒き餌カゴの天井部中央の穴の周囲に引っ掛かることによりＢタイプ中通し撒き餌カゴを引き上げることができるようになる。
【実施例２】
【００２１】
［００１０］（請求項３）記載の釣り具の一例である。つまり、請求項３記載の釣り具の実施の形態である。図１０の如く、Ａタイプ中通し棒浮きとサブマリンカゴと第一のタイプの突き飛ばしオモリとを組み合わせた釣り具である。この場合のＡタイプ中通し棒浮きとは、先細形Ａタイプ中通し棒浮きで［００１６］記載の先細形Ａタイプ中通し棒浮きと同じなので省略、この場合のサブマリンカゴとは、Ｂタイプ中通し撒き餌カゴ・バランシング重り・連結具・底蓋・重り掛合用堤を組み合わせたもので、［０００８］（イ）（ロ）に記載の一例で、まず、サブマリンカゴの構成要素であるＢタイプ中通し撒き餌カゴとは、筒体は合成樹脂製の筒体に複数の透孔が形成された構造、頭部だけはＡタイプ中通し撒き餌カゴ（上記実施例１［００１８］の頭部及び天井部を参照）の実施例と同じなので省略、ここで本発明の釣り具で注意しなければならないことがある、Ａタイプ中通し撒き餌カゴにしろサブマリンカゴにしろ内部に撒き餌を詰めた状態では海底へと沈むが、海中に投入後、カゴ内の撒き餌が海中に散らばってしまいカゴ内に撒き餌を留め置かなくなると比重が軽くなり海面へと浮上するように浮力を調整してるので、撒き餌（アミ＋集魚剤）の比重はアミと集魚剤の混合比率や重い集魚剤か軽い集魚剤か（集魚剤は全て比重が海水より重いがそのなかでも重いほうか軽いほうかの意味である）によって釣り具を投入後の撒き餌カゴの海底に沈んで行くスピ−ドが早いか遅いかが決まる。また、Ａタイプ中通し撒き餌カゴの場合は注意しなくて良いがサブマリンカゴの場合は注意しなければならないことがある、それは、粘り気のある撒き餌になる集魚剤かサラサラの撒き餌になる集魚剤かである、何故ならばサブマリンカゴは筒体と撒き餌との間の摩擦抵抗によって海底へと引っ張られて沈むので、粘り気のある撒き餌でなければならない。Ａタイプ中通し撒き餌カゴの場合は底部に受け皿が有るので問題にならない。集魚剤の選定とアミと集魚剤の混合比率には注意が必要だ。Ｂタイプ中通し撒き餌カゴの底部は大きく開いた餌入れ口で縁を厚くしている。次にサブマリンカゴの構成要素であるバランシング重りは、リベット打ち込みにより固着されたバランシング重り（リベットの材料は鉛・鉛合金等）である。次にサブマリンカゴの構成要素である連結具は、Ｂタイプ中通し撒き餌カゴの開口部縁に開けたリング・丸環用穴と、底蓋の睡蓮の葉形状の切り開き部と１８０度反対側の端部に開けたリング・丸環用穴とを貫通することにより揺動可能に連結するリング（リングの材料はステンレス・黄銅・真鍮等）である。またリング両端を固着する方法は溶接あるいはハンダ付けである、図１０参照してください。リングあるいは丸環の場合は、揺動可能に連結しているので、釣り具を投げるとき底蓋とＢタイプ中通し撒き餌カゴの開口部縁とが合致せずに擦れてその間の隙間から撒き餌が零れ落ちやすくなる。その防止策として底蓋とＢタイプ中通し撒き餌カゴの開口部縁とを当接させて摺動しないように縁と底蓋の両方をエラストマ−ゴムで作る、あるいは底蓋の直径をＢタイプ中通し撒き餌カゴの枠の外径よりも十分に大きくして擦れても隙間ができないようにする。つまり、リングあるいは丸環により連結された底蓋の直径をサイズＱ、Ｂタイプ中通し撒き餌カゴの縁の外径をＯとすれば、Ｑ＞Ｏの関係が成り立つようにしなければならない。次にサブマリンカゴの構成要素である底蓋は、［０００８］（ロ）に記載の「底蓋には、底蓋の下面につけ餌ポケットを設けたものと」の中の一例である、底蓋の切欠き部の横の下面にはつけ餌ポケットを固着あるいは底蓋と一体成形した底蓋である。つけ餌ポケットの材料は固着させる場合はセラミック・アルミニウム・黄銅・真鍮等が考えられ、固着する方法は接着剤である。一体成形する場合は底蓋と同じ材料である、底蓋の材料は通常は筒体と同じ合成樹脂製・プラスチック等であるが、底蓋を細目の金属メッシュで作る場合はつけ餌ポケットを金属類（アルミニウム・黄銅・真鍮等）で作り両方をハンダ付けする、つけ餌ポケットは釣り具を投げるときつけ餌を収めることにより外力から守ることにより絡みや針掛かりを防ぐために設けるものであるが、つけ餌ポケットは図１０の如く、底蓋が開いたときつけ餌ポケット開口部が下を向くように固着する。次にサブマリンカゴの構成要素である重り掛合用堤であるが上記発明を実施するための最良の形態［００１６］に記載と同じなので省略。第一のタイプの突き飛ばしオモリとは、［０００８］（ハ）記載の第一のタイプの突き飛ばしオモリであり、図１６である。重錘の形は図１６の球形でなくても左右対称の形であればよい、ただ重心を下部にするために矢の形と反対側の下部に重錘が位置して、なおかつ重錘の左右対称の中心軸の位置に中心孔が開いていること。重錘の材料は鉛・鉛合金等である。重錘を包む衝撃・磨耗に強い材料とは、プラスチック・合成樹脂・天然ゴム・合成ゴム・エラストマ−ゴム等であるが、衝撃・磨耗に強い材料であれば比重の軽い材料を用いても良い。例えば黒檀・カ−ボン・木材の材料表面を固くなるようにコ−ティング加工したもの等である。図１６のように重錘と包むものの二層に分けた理由は、第一のタイプの突き飛ばしオモリの胴幅サイズｄを大きくするためである、つまり図３・図１３・図１４で図示したＢタイプ中通し撒き餌カゴ天井部中央の孔の直径サイズｂよりも十分に大きい、つまりｄ＞ｂの関係にするためである。ゆえに、比重が軽くて、錆びにくい金属類でｄ＞ｂの関係が十分成り立つのであれば、図１６の形に一種類の材料で一体形成することができる。その場合の材料はセラミック・アルミニウム・真鍮・亜鉛合金等である。このことは、サオ重りの場合も、第二のタイプの突き飛ばしオモリの場合も同様である。また、底蓋の睡蓮の葉の形の中央に開いた穴の直径のサイズｍよりも十分に大きいｄ＞ｍの関係でなければならないの同じである。図１０は第一のタイプの突き飛ばしオモリを用いた場合であるが、第二のタイプの突き飛ばしオモリを用いた場合がある、この場合も同じように、第二のタイプの突き飛ばしオモリ（図１７）の胴幅サイズｌは、図３・図１３・図１４で図示したＢタイプ中通し撒き餌カゴ天井部中央の穴の直径サイズｂよりも大きいｌ＞ｂの関係が必要、また、底蓋の中央に開けた穴の直径のサイズｍよりも十分に大きいｌ＞ｍの関係が必要だ。第二のタイプの突き飛ばしオモリ下端の輪に連結した長い線材の先端は小さな輪になっている、該小さな輪にハリス糸を連結する（ヨリ戻しを介して連結してもよい）。次に、上記実施例２の釣り具の使用方法及び機能について説明するのだが、［００１４］（請求項７）（ロ）記載と同じ、釣り具を投入後の一連の動きは図２１を参照すれば明らかなので省略する。
【実施例３】
【００２２】
従来の棒浮きを用いた［請求項１］と［請求項２］に記載の釣り具である。請求項１の釣り具の構成要素である従来の棒浮きをＡタイプ中通し棒浮きに代えたのが［実施例１］に記載の釣り具で使用方法及び機能等は全て同じである。請求項２の釣り具の構成要素である従来の棒浮きをＡタイプ中通し棒浮きに代えたのが［実施例２］と［発明を実施するための最良の形態］に記載の釣り具で使用方法及び機能等は全て同じである。［実施例２］はサブマリンカゴの筒体が合成樹脂で筒体に複数の透孔が形成された形状である場合、［発明を実施するための最良の形態］はサブマリンカゴの筒体が金属メッシュ構造である場合、［実施例２］の釣り具を投入後の一連の動きは図２２を参照、［発明を実施するための最良の形態］の釣り具を投入後の一連の動きは図２１を参照、［実施例１］の釣り具を投入後の一連の動きは、筒体が金属メッシュ構造で自然と撒き餌が散らばって、Ａタイプ中通し撒き餌カゴが浮上するので、図２１とほぼ同じである図２１を参照。ゆえに、従来の棒浮きと、それを用いた［請求項１］と［請求項２］の釣り具の組み立て方を説明すればそれら以外は全て同じなので省略する。従来の棒浮きとは、棒浮きの下端に輪が設けてあり、その下端の輪にシモリペットのスナップを引っ掛けて連結して用いる、フカセ釣り用の部品である。魚の小さなアタリにすぐ反応して、魚がつけ餌をくわえて引っ張ったことを棒浮きが海底へ沈むことで釣り人に知らせる部品である。シモリペットとは、道糸の先端に結ばれた釣り仕掛けから浮き止めまでの間を、棒浮きが道糸に沿ってスム−ズにスライドできるようにするための道糸と棒浮きの仲介具である。従来のシモリペットの構造は、中心軸に糸孔があるパイプの形状をしている本体の胴部に、線材を巻きつけて固定し、該線材を本体の横（直角方向）に突出してリングを形成する、その際スナップの根元の輪を線材が挿通する事によりスナップを連結したものである。ここで注意しなければならないのは、シモリペットは孔を通りやすいように改良しなければならない。何故か、請求項１の釣り具の場合はＡタイプ中通し撒き餌カゴが海面へ浮上して来たときに棒浮きの根元つまりシモリペットがＡタイプ中通し撒き餌カゴの天井部中央の孔及び底部受け皿の中央の孔の両方の孔をスム−ズに通過することができるようにするため、請求項２の釣り具の場合はサブマリンカゴの天井部中央の孔をスム−ズに通過することができるようにするためである。具体的には、従来のシモリペットは本体の胴部に線材を巻きつけることにより固定していたが、これを揺動可能にする、つまり線材はシモリペット胴部を摺動してクルクル回るが抜け出ないように枢着する、なおかつ本体の横（直角方向）に突出するのではなく斜め上にしかも小さく突出するようにリングを形成することである。次に棒浮きを用いた［請求項１］と［請求項２］の釣り具の組み立て方を説明する、［請求項１］に記載の釣り具の組み立て方は、釣り竿の先端から道糸を伸ばす、道糸には所望の水深で重りの降下を停止するように浮き止めが止着されている、該道糸をシモリ（ビ−ズ）に挿通して、シモリペットの中心軸にある糸孔に挿通し、Ａタイプ中通し撒き餌カゴの天井部中央の穴と底部受け皿の中央の穴に挿通する、そして重り（請求項１の重り）及び釣り針を止着したあるいは十字架サルカンを介してサビキを設けその先に重錘を止着する。［請求項２］に記載の釣り具の組み立て方は、釣り竿の先端から道糸を伸ばす、道糸には所望の水深で重りの降下を停止するように浮き止めが止着されている、該道糸をシモリ（ビ−ズ）に挿通して、シモリペットの中心軸にある糸孔に挿通し、サブマリンカゴの天井部中央の穴に挿通する、そして重り（請求項２の重り）及び釣り針を止着したあるいは十字架サルカンを介してサビキを設けその先に重錘を止着する。
【部品の他の実施例１】
【００２３】
Ａタイプ中通し棒浮きとは［００１０］（請求項３）に記載の中通し棒浮きである。［発明を実施するための最良の形態］に具体的にＡタイプ中通し棒浮きの一形態（先細形）を記載したが、その他に図１１等が考えられる。図１１は図２で図示した先細形Ａタイプ中通し棒浮きの他の実施例である、（ａ）はストレ−ト形で途中で引っ掛かるところがない。（ｂ）はＡタイプ中通し棒浮きの上部の円筒形棒浮きが先太になっている、これの特徴は、先太になることにより浮力の中心が上方になるので自立しやすいことである。（ｂ）は逆円錐形重りの直上の円筒形棒浮きが細いがゆえに、折れたり、逆円錐形重りと分離したり、しやすいので、それを防ぐために、円筒カバ−で細い円筒形棒浮きの下端部を包み込んだものである。逆円錐形重りと円筒カバ−との境目と、円筒カバ−の上端部と細い円筒形棒浮きの境目に段差が生じないようにする。円筒カバ−は逆円錐形重りに強く固着しなければならないので逆円錐形重りと同じ重い金属類で一体成形するあるいは溶接したほうがよい、材料は黄銅・ステンレス・鉛・鉛合金・真鍮・セラミック・硬質プラスチック等が考えられる。異種金属を固着する場合は、ハンダ付けがよい。円筒形棒浮きの最も太い部分の外径サイズａは、Ａタイプ中通し撒き餌カゴの天井部中央の穴の直径サイズｂよりも小さいｂ＞ａ及びＡタイプ中通し撒き餌カゴの下部受け皿中央の穴の直径サイズｎよりも小さいｎ＞ａの関係が必要だ。あるいは、サブマリンカゴを用いる場合は、Ｂタイプ中通し撒き餌カゴの天井部中央の穴の直径サイズｂよりも小さいｂ＞ａの関係が必要だ。また、釣り人が明らかに識別できる色で、Ａタイプ中通し撒き餌カゴ天井の形の窪み上面の色と明らかに違う色に円筒形棒浮きを着色する必要がある。あるいは、サブマリンカゴを用いる場合は、Ｂタイプ中通し撒き餌カゴ天井の形の窪み上面の色と明らかに違う色に円筒形棒浮きを着色する必要がある。たとえば、通常浮きといえば赤なので円筒形棒浮きを赤にするならば中通し撒き餌カゴの天井部の窪み上面を黄色にする。［００１０］（請求項３）に記載の「円筒形棒浮きの中心孔と逆円錐形重りの中心孔とを同じ中心軸上にあるようにし、」の中の逆円錐形重りの中心孔を説明すると、円錐とは、平面上に円をとり、その平面上にない一点と円周上の各点とを結んでできる立体であるが、該円錐を引っ繰り返したものが逆円錐形である。該逆円錐形の平面上の円の中心と平面上にない一点とを結んだ線が逆円錐形の中心孔である。何故重りを逆円錐形にするか、また、何故中通し撒き餌カゴ天井の形を窪みにするか、その理由は、Ａタイプ中通し撒き餌カゴあるいはサブマリンカゴが海面に浮上するときＡタイプ中通し棒浮きの下部逆円錐形重りをＡタイプ中通し撒き餌カゴあるいはサブマリンカゴが通過しやすいようにするためである。何故重力の大きな鉛でできた逆円錐形重りを設けるか、その理由は、自立しやすい棒浮きにするためである。道糸先端部に設ける重りあるいは重錘が小さい重力の重さでもすぐ立つようにするためである、自立浮きである必要はない。
【部品の他の実施例２】
【００２４】
Ａタイプ中通し撒き餌カゴは［０００６］（イ）（請求項１）に記載の中通し撒き餌カゴである。［実施例１］に具体的にＡタイプ中通し撒き餌カゴの一形態を記載した、図７に図示、その他の実施例としては、図１４の天井部のように（図１４はＢタイプ中通し撒き餌カゴの他の実施例であるが、天井部だけはＡタイプ中通し撒き餌カゴの他の実施例として兼用できる）浮力の大きな材料を天井の形の下面に接着させ、さらにその浮力の大きな材料にリング状の爪を天井の形の側面より突設して食い込ませる方法で固着させる方法がある。さらに、図３の天井部のように（図３はＢタイプ中通し撒き餌カゴの他の実施例であるが、天井部だけはＡタイプ中通し撒き餌カゴの他の実施例として兼用できる）輪形浮きを螺着して固定する方法がある。上記天井部と筒体を固着する方法としては、［実施例１］に記載のように線材を天井に伸ばして頭部上面の窪みの頂部を引っ掛け、なおかつ接着剤で接着する方法、その他に頭部を形成している材料にその筒体を形成している線材の先端を埋設させて固着する方法がある、筒体のその他の実施例としては、［実施例１］に記載のように筒体を線材で網の目状に形成するのではなく、天井部と同じ合成樹脂・プラスチック等で荒目の網の目状に形成し、天井部と筒体を一体成形する方法がある。次に筒体側面の側蓋の実施例としては、［実施例１］に記載のように筒体と同じ金属メッシュで作られる場合の他に、合成樹脂・プラスチック等で荒目の網の目状に作る方法がある、その場合ヒンジ部はコイル状バネ・コイル状バネ付蝶番・蝶番等で、止め金具は、パッチン錠や引っ掛け金具（筒体に鋲形のピンを突設し、側面の側蓋にピンを支点として回転可能に引っ掛け金具を設けて、該引っ掛け金具を鋲形のピンに引っ掛けることにより筒体と側蓋を固定する）等で止める方法がある。コイル状バネ・コイル状バネ付蝶番・蝶番をヒンジ部として設ける方法は、下記［００２８］に連結具として記載しているので省略する。次に受け皿の実施例として［実施例１］に具体的に記載したが、図７に図示、その他に筒体を合成樹脂・プラスチック等で荒目の網の目状に作る場合がある、その場合受け皿も同じプラスチック等で一体成形する方法である。筒体を金属メッシュで作る場合で［実施例１］で記載の他に、筒体を形成している線材を受け皿の上面と下面に互い違いに伸ばして受け皿に当接して固定しさらに接着剤等で固着する方法である。あるいは、筒体を形成している線材を下方に伸ばして細目の金属メッシュでさらに逆円錐形に受け皿を形成する、該線材の先端を横から重り掛合用堤（厚さが厚い円筒形）側面に埋設させて固着する方法である。この場合の重り掛合用堤の材料は、ゴム弾性性能のあるゴム類ではなく、合成樹脂・プラスチック等である。
【部品の他の実施例３】
【００２５】
［００１３］（請求項６）記載の釣り具部品Ｂタイプ中通し棒浮きである。つまり、［００１３］に記載のＢタイプ中通し棒浮きのことである。これを説明することは［請求項６］の実施の形態を書くのと同じである。Ｂタイプ中通し棒浮きの具体的な例は、図１２の如く、浮力の大きな材料で出来た円筒形棒浮きの中心孔に中通しパイプを貫設し、さらに下方に伸びて下側中通しパイプと成し、該下側中通しパイプの外径と同じ内径で長さが下側中通しパイプと同じである取付おねじパイプ（取付おねじパイプとは、下側中通しパイプに取付けるパイプで、外周にネジを形成して螺着可能にしたものである）を嵌合して固着したものに、取付めねじパイプ付逆円錐形重りを螺着して取り付けるかあるいは取付めねじパイプ付下落防止具を螺着して取り付けるかで選んで取り替えられるようにしたものである。取付めねじパイプとは、パイプの内側にめねじを形成して取付おねじパイプに螺着可能になるように、谷の径を取付おねじパイプの外径と同じにしたものである。取付めねじパイプ付逆円錐形重りとは、取付めねじパイプを逆円錐形重りの中心孔に貫通して貫設したものである。取付めねじパイプ付下落防止具とは、下落防止具の内側筒部の中心孔に取付めねじパイプを貫通して貫設したものである。下落防止具とは、円筒形棒浮きの厚さよりも大きく横に突設させるために、内側筒部の外周に形が崩れないようになおかつ大きく横に突出するように構築した構造物を固着したものである。該大きく横に突出させた構造物（下落防止具）の横幅をｋとすると（図１２参照）、Ｂタイプ中通し撒き餌カゴの天井部中央の孔のサイズｂよりも十分に大きく形成しなければならない。つまり、ｋ＞ｂの関係でなければならない。下側中通しパイプに取付おねじパイプを嵌合して固着したものに、取付めねじパイプ付下落防止具を螺着して取り付ける方法による挿着である。下側中通しパイプに取付めねじパイプ付逆円錐形重りを螺着したものは［００１０］（請求項３）のＡタイプ中通し棒浮きと機能は同じである。下側中通しパイプに取付めねじパイプ付下落防止具を螺着したものは、Ｂタイプ中通し撒き餌カゴの天井部中央の孔の周囲に下落防止具を引っ掛けてＢタイプ中通し撒き餌カゴが海底へ沈んで行かないようにした釣り具部品として［００１４］（ハ）｛［請求項７］（ハ）｝の釣り方ができる。潮の流れの状況にあわせて取り替えることによりふたつのタイプの中通し棒浮きを取り替えることになる、つまり釣り場の状況に対応することができるＢタイプ中通し棒浮きである。
【００２６】
上記［００２５］記載のＢタイプ中通し棒浮きの実施の形態の他に、下側中通しパイプの外面に爪（ピン）を突設して、該爪に合致するようにパイプを上端部よりＬの形に溝を掘って加工して取付用パイプと成し、該取付用パイプの溝に下側中通しパイプ外面の爪を挿入して回動し、最奥部の上向きの溝に爪を填め込んで嵌着することにより固定する方法である。その他には、図２０（ａ）の如く、下側中通しパイプの上部外周にリング状の爪を突設して、該突設物に合致するように逆円錐形重りの中心孔あるいは下落防止具内側筒部の中心孔の上部に輪形の溝を堀り、そこにスプリングリングを枢着して設けることにより、スプリングリングの弾性性質によりカチット式に挿着する方法がある。スプリングリングの弾性性質によりカチット式に挿着するとは、下側中通しパイプを中心孔に挿通することにより、逆円錐形重りあるいは下落防止具の中心孔の上部に枢着して設けたスプリングリングと下側中通しパイプの上部外周に突設したリング状の爪とが当接し、さらに下側中通しパイプを突っ込むことによりリング状の爪に押されてスプリングリングの穴が開き、リング状の爪はスプリングリングを通過する。通過してしまうとスプリングリングは弾性性質により穴が締まって小さくなる、このことである。このことにより逆円錐形重りあるいは下落防止具は下側中通しパイプから抜け出ることができなくなる。取り外すときにはと逆に引っ張ることにより下側中通しパイプは抜け出る。下落防止具の場合はＢタイプ中通し撒き餌カゴをぶら下げられるぐらいに強く固定しなければならないので、該スプリングリングの配置を中心孔の上部だけでなく複数本設けなければならない。上部の円筒形棒浮きの形は、［００２３］に記載の如く先細形や先太形やストレ−ト形等がある。
【部品の他の実施例４】
【００２７】
Ｂタイプ中通し撒き餌カゴのその他の実施例である。まず、［０００８］に記載の「カゴ本体上部の外周に浮力材を設けた」の方法の一例として、輪型浮きを天井部上方に伸びた縁に螺着するタイプを［発明を実施するための最良の形態］の中に具体的にＢタイプ中通し撒き餌カゴの一形態として記載したが、その他に、浮力の大きな材料がネジ山が作れるくらいに丈夫な材料であれば、輪形浮きの基礎材と浮力の大きな材料を一つの材料で輪形に形成して一体成形して作ることが出来る。例えば、硬質発砲合成樹脂・バルサ材・カ−ボン・硬質発砲プラスチック等である。これらのことは図１２より簡単に想像できるので図は省略する。その他の実施例として、上記［００２６］において記載した他の実施例と同じようにこのＢタイプ中通し撒き餌カゴにおいても、天井部上方に伸びた縁の外面に爪（ピン）を突設して、その爪を輪形浮きの基礎材の輪の内面にＬの形に掘った溝に嵌着することにより固定する方法がある。あるいは逆に輪形浮きの基礎材より爪（ピン）を基礎材の輪の内面に突設して、その爪を天井部上方に伸びた縁の外面上端部よりＬの形に掘った溝に嵌着することにより固定する方法がある。その他には、図２０（ｂ）の如く、天井部上方に伸びた縁の外周にリング状の爪を突設して、該突設物に合致するように輪形浮きの基礎材の輪の内面にスプリングリングを枢着して設けることにより、スプリングリングの弾性性質によりカチット式に挿着する方法がある。スプリングリングの弾性性質によりカチット式に挿着する方法とは、輪形浮きをＢタイプ中通し撒き餌カゴの下から挿通することにより、天井部上方に伸びた縁の下部外周に突設したリング状の爪と輪形浮きの基礎材の輪の内面の中位に設けたスプリングリングとが当接し、さらに輪形浮きを押し上げることにより上記［００２６］と同様にカチット式に挿着することができる、取り外すときは逆に押し下げることにより輪形浮きは抜け出る。このようにすることにより浮力の調整を釣り具を組み立てた後にできる（つまり、釣りをしている途中で輪形浮きだけを交換することができる）という効果がある。上記各々の実施例はＢタイプ中通し撒き餌カゴだけに限らずＡタイプ中通し撒き餌カゴの天井部を上方に伸びた縁にすれば同じようにできる。その他の実施例として、［０００８］に記載の「天井部中央の孔の外周‥‥に浮力材を設けた」の一例として、図１３の如く、浮力の大きな材料を包み込んで天井を形成することで固着するタイプを［実施例２］の中に例示したが、その他に、図１４のように浮力の大きな材料を天井部中央の孔の外周で頭部の下面に接着剤により接着させ、さらに筒体の頭部側面よりリング状の爪を突設して、接着させた浮力の大きな材料に食い込ませる方法で固着させる方法がある。図１４のような天井部を作る場合、図１４（ａ）では浮力が不足するときは図１４（ｂ）のように浮力の大きな材料の量（浮力）を調節することができる。図１４のように天井中央の穴の丈寸法ｃを変えないで浮力の大きな材料の量を増やすのは、棒浮きが上から下へ、あるいは、下から上へ天井中央の穴を通過し易くするためである。
【部品の他の実施例５】
【００２８】
連結具は［００１２］（請求項５）に記載のコイル状バネ付蝶番で一例を示した、つまり、［００１７］の中で詳細に記載しているので省略、その他の実施例はコイル状バネ・蝶番・リング・丸環等がある。蝶番とは開き戸や開きぶたなどが開閉できるようにとりつける金具である、蝶の羽みたいな２枚の平板の端部をカ−リングして軸受け部を形成し、２枚の平板の軸受け部が互い違いに中心軸に在るように加工して、該軸受け部の中心軸に軸（ピン）を挿通して設け、２枚の平板が該軸（ピン）を支点として回転可能に結合したものである。次に、リングとは［実施例２］［００２１］の中で詳細に記載しているので省略、リングのその他の実施例として図１９の中の右上に図示しているように、リングの一部分がＢタイプ中通し撒き餌カゴの開口部縁に埋まることにより固着させる方法がある、その場合もリングの両端の接合部は溶接あるいはハンダ付けで強く固着しなければならない、次に、丸環は図１８及び図４（ａ）より明らかである、この丸環の材料は弾性性質の線材（ピアノ線・ステンレス等）であること、この弾性性質により、底蓋の端部に開けたリング・丸環用穴を丸環が挿通することで連結されている底蓋を外す（弾性性質の線材でできた丸環の端を股開きしてその隙間に底蓋の端部を差し込み丸環の線材に沿ってもう一方の端まで擦動することで）ことができる。つまり、Ｂタイプ中通し撒き餌カゴと底蓋とを分離することができる。ゆえにＢタイプ中通し撒き餌カゴあるいは底蓋どちらかが壊れたとき、あるいは釣り場の状況を見て釣り仕掛けを変えたいとき、簡単に交換することができるという効果がある。また、Ｂタイプ中通し撒き餌カゴの開口部縁と底蓋の端部に開けたリング・丸環用穴のサイズｉ（図１３・図１４・図１５参照）、丸環の幅のサイズｊ（図４ａ参照）との間の関係はｉ＞ｊの関係でなければならない。次に、コイル状バネとは、弾性材料の線材をカ−リングしてコイルの形に形成されたバネで、元の状態に戻るという形状記憶の機能を持った連結具で、Ｂタイプ中通し撒き餌カゴも底蓋も同じ線材でできている場合に用いる。コイル状バネの中心軸に線材でできたＢタイプ中通し撒き餌カゴの開口部縁の線材と、線材でできた底蓋の端部の線材の両方の線材を挿通してコイル状バネの中心軸と成す、そしてコイル状バネ両端の線材を各々１８０度別の方向に折り曲げて延長し、該折り曲げた線材の一方を線材でできたＢタイプ中通し撒き餌カゴの筒体に、他方の折り曲げた線材を線材でできた底蓋に当接させて固着（ハンダ付け・溶接・接着剤等である）する。そのときの底蓋とＢタイプ中通し撒き餌カゴの開口部縁との開口角度を９０度にする。コイル状バネ付蝶番と同じ機能及び効果を持ったコイル状バネである。ここで注意しなければならない事は、連結具がコイル状バネ付蝶番・コイル状バネ・蝶番の場合は心配いらないが、連結具がリングあるいは丸環の場合は、底蓋とＢタイプ中通し撒き餌カゴの開口部縁とが擦れてその間の隙間から撒き餌が零れ落ちやすくなる、それで底蓋の直径をＢタイプ中通し撒き餌カゴの開口部縁の外径よりも十分に大きくして擦れても隙間ができないようにする。つまり、リングあるいは丸環により連結された底蓋の直径をサイズＱ、コイル状バネあるいはコイル状バネ付蝶番あるいは蝶番により連結された底蓋の直径をサイズＰ、Ｂタイプ中通し撒き餌カゴの枠の外径をＯとすれば、Ｑ＞Ｐ≧Ｏの関係が成り立つようにしなければならない。
【部品の他の実施例６】
【００２９】
バランシング重りの実施例は、まず、［発明を実施するための最良の形態］の中にＢタイプ中通し撒き餌カゴの開口部縁に開けた穴の中でリベット形重りとキャップを嵌合して嵌着する方法を示した、その他の実施例として［実施例２］の中に固着する場合を例示した、それはリベット打ち込みによる固着である。その他のバランシング重りの実施例として板重りがある、Ｂタイプ中通し撒き餌カゴが線材でできている場合に、網の目状の筒体の最下部の横線材と下から２番目の横線材の間に板重りを巻付けて、さらに接着剤で固着する方法である。Ｂタイプ中通し撒き餌カゴが合成樹脂やプラスチック等でできている場合でも、図１９で図示しているように筒体の最下部の穴と穴の間に板重りを巻付けて、さらに接着剤で固着することにより固着することができる。その他のバランシング重りの実施例として、バランシング重りの機能を持ち合わせた金属縁がある、それは図１９の斜視図の如く、金属縁の板をＢタイプ中通し撒き餌カゴの開口部縁に被せて接着剤により接着させて固着するあるいは縁に金属縁の板の両端を食い込ませ（金属縁は金属平板を曲げて作るのだが、ただ被せるだけでなく、曲げられた金属平板の先端部をさらに曲げて爪を形成し、その爪を縁に食い込ませる）固定する。この金属縁の役割は２つある、１つはバランシング重りの役割、もう１つはつけ餌ポケットの無いタイプの底蓋を用いるとき、つけ餌を付けた釣り針のその先をこの金属縁と切り開き部先端の金属板の間に挟んで釣り具を投げることにより、釣り針がＢタイプ中通し撒き餌カゴの縁に引っ掛かるのを防ぐ役割である。
【部品の他の実施例７】
【００３０】
つけ餌ポケットを用いるタイプの底蓋の実施例は、まず、［発明を実施するための最良の形態］の中につけ餌ポケットを底蓋の下面に固定する場合を記載した、それはレ−ルにつけ餌ポケットを挿着することにより固定する方法である。その他の実施例として、［実施例２］の中につけ餌ポケットを底蓋の下面に固着する場合を例示した、底蓋の下面につけ餌ポケットを接着剤により固着する方法である。いずれの場合も、底蓋の材料は合成樹脂・プラスチック等である。その他の実施例として、底蓋が細目の金属メッシュの線材でできている場合がある、つけ餌ポケットの材料は［実施例２］のつけ餌ポケットと同じセラミック・アルミニウム・黄銅・真鍮等であるが固着する方法が違う、底蓋に固着する方法はハンダ付けあるいは溶接である、また［発明を実施するための最良の形態］の挿着タイプの場合、レ−ルを上記の如く固着する方法はハンダ付けあるいは溶接にする。次に、重り掛合用堤の実施例は［００１６］［００２１］共に、いずれの場合も材料はゴム弾性性能のある天然ゴム・合成ゴム・エラストマ−ゴム等であり、固着する方法は接着剤であったが、その他の実施例として、底蓋が細目の金属メッシュの線材でできている場合で、［部品の他の実施例２］［００２４］の中で記載した受け皿と同じように、重り掛合用堤の側面に、底蓋の線材を差し込んで、埋設させて固着する方法である。この場合の重り掛合用堤の材料は、ゴム弾性性能のあるゴム類ではなく合成樹脂・プラスチック等である。ここで注意しなければならない事は、つけ餌ポケットの有るタイプの中でつけ餌ポケットが金属類でできている場合、底蓋を切欠き部先端部に固着しているので、底蓋の切欠き部先端に近い位置に重心があるように工夫する必要はないが、つけ餌ポケットの有るタイプの中でつけ餌ポケットが軽い材料で作られている場合（つけ餌ポケット挿着して固定するタイプと底蓋とつけ餌ポケットを一体成形するタイプ）は、釣り具が着水後、Ｂタイプ中通し撒き餌カゴが海底へと沈むとき底蓋が開かない可能性が高いので、底蓋の切欠き部先端に近い位置に重心があるように工夫する必要がある。その方法は下記［００３１］に記載と同じなので省略。
【００３１】
つけ餌ポケットの無いタイプの底蓋の実施例は、つけ餌ポケットを用いるタイプの底蓋の場合は重り掛合用堤を設けたが、その他の実施例として図１９のように底蓋の中央部を窪ませることができる。その理由は、重り掛合用堤は、釣り具を投げるとき道糸を牽引することによりサオ重り・突き飛ばしオモリ等は揺動しないようにする、それと底蓋を確実に閉止状態に保持する、それが主たる目的である。重り掛合用堤の従たる目的として、サオ重りのサオあるいは第２のタイプの突き飛ばしオモリの下端の輪に連結した長い線材がつけ餌ポケットに強く当たることを防ぐという目的がある。釣り具を投げるとき底蓋の下面に設けた、サオあるいは下端の輪に連結された長い線材を重り掛合用堤の土手の高さの分だけより長く離すことによりつけ餌ポケットに強く当たる可能性が低くなる、という従たる目的がある。ゆえにつけ餌ポケットが無いとなると、従たる目的は考えなくてよくなる、ゆえに窪みに掛合しても主たる目的を達成することができるので、その他の実施例とすることができる。具体的には、図１０・図１９はリングにより連結された場合、図１８（ａ）は丸環により連結された場合、図１８（ｂ）はコイル状バネ付蝶番により連結された場合を図示している。つけ餌ポケットの無いタイプで問題となるのは底蓋の材料が合成樹脂・プラスチック等の軽い材料で作られている場合である。コイル状バネ・コイル状バネ付蝶番で連結されていれば、バネの弾性力による形状記憶の機能があるので確実に底蓋は開くが、リング・丸環・蝶番で連結されている場合、Ｂタイプ中通し撒き餌カゴが海底へと沈むその力で海水が蓋を閉めようとするので底蓋が開かない可能性が高い、それで底蓋の切欠き部先端に近い位置に重心があるようにする。具体的には図１９（ａ）のように底蓋本体の平板である切欠き部先端を楔形に加工して、該先端部に金属類のキャップを冠着て固着する。あるいは図１９（ｂ）のように底蓋の切欠き部先端の形に成形した金属類の板を本体の方向を楔形に加工して、該楔形を底蓋本体の平板で挟んで固着する。あるいは図１８（ａ）のように、金属類の板の本体方向を挟んだり底蓋本体の平板で挟んだりをジグザグに交互に繰り返すことにより、底蓋本体と切欠き部先端の形の金属板との接触面積を多くすることにより強固に固着する。固着する方法は上記３例とも接着剤による固着あるいはリベット打ち込みによる固着あるいは該ふたつの方法を併用して固着する等々の方法がある。ここで注意しなければならないことは、上記金属類の板でもつけ餌ポケットで金属類でできているでもあるいは金属縁でも金属類は全て黒あるいはそれに近い黒っぽい目立たない色に着色しなければならない。ただし、警戒心の少ない魚や青物魚を釣る場合はその必要はない。
【産業上の利用可能性】
【００３２】
海釣りを想定し、とりわけ磯釣りの深場の魚釣り仕掛けとして開発していますが、磯以外の釣り場でも使えるのはあたりまえで、海以外に湖・川の淡水魚（フナ・こい・ナマズ・ウナギ等）を釣るときの釣り仕掛けとして用いることができる。
【図面の簡単な説明】
【００３３】
【図１】［発明を実施するための最良の形態］記載の釣り具の斜視図
【図２】先細形Ａタイプ中通し棒浮きの斜視図及びＡ−Ａ′縦断面図
【図３】Ｂタイプ中通し撒き餌カゴの輪型浮き螺着型の正面図及びＢ−Ｂ′縦断面図
【図４】（ａ）丸環の正面図及び右側面図、（ｂ）嵌着タイプバランシング重りの嵌着説明図（リベット形重りの種々）
【図５】上半分：連結具のコイル状バネ付蝶番の拡大正面図・右側面図、下半分：［発明を実施するための最良の形態］の中の底蓋の使用状態の正面図・右側面図
【図６】上部：挿着タイプつけ餌ポケット挿着説明図（挿着タイプのつけ餌ポケットの種々）、中部：挿着タイプのつけ餌ポケットの正面図・右側面図・底面図及びレ−ルの底面図、下部：連結具蝶番とつけ餌ポケット挿着タイプの底蓋の使用状態の正面図・右側面図
【図７】［実施例１］記載のＡタイプ中通し棒浮き及びＡタイプ中通し撒き餌カゴを            用いた釣り具の斜視図
【図８】上半分：サオ重りのサオとサオ重り縦断面図及びサオ挿着説明図（ａ）（ｂ）、下半分：サオ重り縦断面図による使用状態説明図（ｃ）（ｄ）
【図９】（ａ）十字架サルカンの拡大正面図・平面図、（ｂ）平板のその他の実施例の平面図
【図１０】［実施例２］記載の釣り具の斜視図
【図１１】Ａタイプ中通し棒浮きの他の実施例の斜視図（ａ）・（ｂ）
【図１２】［請求項６］記載のＢタイプ中通し棒浮きの斜視図による逆円錐形重り及び下落防止具の螺着説明図
【図１３】Ｂタイプ中通し撒き餌カゴ部品の他の実施例で浮力の大きな材料を天井部に包み込むことによる固着の斜視図及びＣ−Ｃ′縦断面図
【図１４】（ａ）Ｂタイプ中通し撒き餌カゴ部品の他の実施例で浮力の大きな材料をリング状爪を突設することによる天井部に固着の斜視図及びＤ−Ｄ′縦断面図（ｂ）部分縦断面による浮力増加（量）の説明図
【図１５】（ａ）底蓋でつけ餌ポケット有タイプに重り掛合用堤を設けた正面図・右側面図、（ｂ）底蓋でつけ餌ポケット有タイプに窪を設けた正面図・右側面図、（ｃ）底蓋でつけ餌ポケット無しタイプに窪を設けた正面図・右側面図
【図１６】第一のタイプの突き飛ばしオモリの拡大正面図・平面図・底面図及びＥ−Ｅ′縦断面図
【図１７】第二のタイプの突き飛ばしオモリの正面図・平面図・底面図・左側面図及び縦断面図による説明図
【図１８】（ａ）つけ餌ポケット無しタイプに窪を設けたその他の実施例で丸環と切欠き部先端に金属板を設けた底蓋の使用状態の正面図・右側面図、（ｂ）つけ餌ポケット無しタイプに窪を設けたその他の実施例でコイル状バネ付蝶番の連結具と底蓋の使用状態の正面図・右側面図
【図１９】上半分：バランシング重りの板重りと金属縁の斜視図と断面図による作動慨念図、下半分：［図１５］（ｃ）と［図１８］（ａ）に図示したつけ餌ポケット無しタイプに窪を設けたその他の実施例で切欠き部先端に金属板を固着する場合の正面図・右側面図
【図２０】（ａ）Ｂタイプ中通し棒浮きに逆円錐形重りをカチット式挿着の拡大図による説明図、上−斜視図  下−断面図、（ｂ）Ｂタイプ中通し撒き餌カゴの本体上部の外周に輪型浮きをカチット式挿着の説明図、上−斜視図  下−断面図、中央にスプリングリングの斜視図
【図２１】［発明を実施するための最良の形態］記載の釣り具の一連の動作の作動状態説明図
【図２２】第二のタイプの突き飛ばしオモリを用いた釣り具の一連の動作の作動状態説明図
【図２３】Ｂタイプ中通し棒浮きに下落防止具を設けた釣り具の一連の動作の作動状態説明図
【符号の説明】
【００３４】
１  円筒形棒浮き
２  逆円錐形重り
３  中通しパイプ
４  中通し撒き餌カゴ天井の窪みの上面    ５  Ｂタイプ中通し撒き餌カゴの開口部縁
６  上方に伸びた縁
７  輪形浮きの基礎材
８  輪形浮きの基礎材に固着する浮力の大きな材料
９  丸環
１０  リベット形重り
１１  リベット形重り嵌合用キャップ
１２  コイル状バネ
１３ａ  蝶番の平板（コイル状バネ付蝶番の）
１３ｂ  蝶番の平板（蝶番の）
１４  軸（ピン）
１５  リベット打ち込み用穴
１６  鉤状レ−ル
１７  挿着タイプのつけ餌ポケット
１８  つけ餌ポケットの空気抜き穴
１９  台座の端の爪
２０ａ  重り掛合用堤（Ａタイプ中通し撒き餌カゴ用）
２０ｂ  重り掛合用堤（Ｂタイプ中通し撒き餌カゴ用）
２１  受け皿
２２  胴部の側蓋
２３  線材でできた止め金具
２４  ヒンジ部（多重コイル）
２５  天井部中央の孔の外周に設けた浮力材
２６ａ上端の輪（サオ重りの）
２６ｂ上端の輪（第二のタイプの突き飛ばしオモリの）
２７  スプリングバネ
２８ａ  重錘を包む摩耗に強い材料（サオ重り用）
２８ｂ  重錘を包む摩耗に強い材料（突き飛ばしオモリ用）
２９ａ  重錘（サオ重り用）
２９ｂ  重錘（突き飛ばしオモリ用）
３０  椀形に窪んだ金属板
３１  球状物
３２  球状物近くのカ−ブ
３３ａ  小さな輪（サオ先端の）
３３ｂ  小さな輪（長い線材の先端）
３４ａ下端の輪（サオ重りの）
３４ｂ下端の輪（第二のタイプの突き飛ばしオモリの）
３５ａ  縁（椀形に窪んだ金属板の）
３５ｂ  縁（半球形に窪んだ金属板の）
３６  平板平面
３７  両腕
３８  頭の部分の輪
３９  足の部分の輪
４０  円筒カバ−
４１  取付めねじパイプ
４２  下落防止具
４３  下落防止具の内側筒部
４４  下側中通しパイプに固着した取付おねじパイプ
４５  バランシング重り（リベット打ち込み）
４６ａリング・丸環用穴（Ｂタイプ中通し撒き餌カゴの開口部縁に開けた）
４６ｂリング・丸環用穴（底蓋の端部に開けた）
４７  合成樹脂の筒体に開けた複数の透孔
４８  天井部中央の孔の外周に設けた浮力材（リング状爪による固定）
４９  リング状爪
５０  切欠き部
５１  固着タイプのつけ餌ポケット
５２  金属類のキャップ
５３  窪み（重り掛合用）
５４  突き飛ばしオモリの鰭
５５ａ中心孔（サオ重り用）
５５ｂ中心孔（突き飛ばしオモリ用）
５６  半球形に窪んだ金属板
５７  第二のタイプの突き飛ばしオモリの下端の輪につながれた長い線材
５８  金属類の板（挟み込み型）
５９  金属類の板（ジグザグ型）
６０ａ  リング
６０ｂ  リング（Ｂタイプ中通し撒き餌カゴの開口部縁に埋設して固着した）
６１  金属縁
６２  板重り
６３ａスプリングリング（Ｂタイプ中通し棒浮きに用いる）
６３ｂスプリングリング（輪形浮きをカチット式挿着するための）
６４ａ外周に設けたリング状爪（Ｂタイプ中通し棒浮きに用いる）
６４ｂ外周に設けたリング状爪（輪形浮きをカチット式挿着するための）
【図１】
2004173702.tif 000003
【図２】
2004173702.tif 000004
【図３】
2004173702.tif 000005
【図４】
2004173702.tif 000006
【図５】
2004173702.tif 000007
【図６】
2004173702.tif 000008
【図７】
2004173702.tif 000009
【図８】
2004173702.tif 000010
【図９】
2004173702.tif 000011
【図１０】
2004173702.tif 000012
【図１１】
2004173702.tif 000013
【図１２】
2004173702.tif 000014
【図１３】
2004173702.tif 000015
【図１４】
2004173702.tif 000016
【図１５】
2004173702.tif 000017
【図１６】
2004173702.tif 000018
【図１７】
2004173702.tif 000019
【図１８】
2004173702.tif 000020
【図１９】
2004173702.tif 000021
【図２０】
2004173702.tif 000022
【図２１】
2004173702.tif 000023
【図２２】
2004173702.tif 000024
【図２３】
2004173702.tif 000025